(57)【要約】システムおよび方法が、以前にアクセスされたメディアコンテンツ内で起こるイベントについての情報を提供するために提供される。以前にアクセスされたコンテンツ内のイベントのためのセグメントを含む、進捗バーの表示が、アクセスされている現在のメディアの画面ビュー内に提供される。進捗バーセグメントは、コンテンツにアクセスするように選択され得る。コンテンツの完結に応じて、コンテンツについての画像およびテキストが、コンテンツについてソーシャルメディア上に投稿するように視聴者に供給され得る。
2021510026.tif 000002
【特許請求の範囲】
【請求項１】
以前にアクセスされたコンテンツのセグメントを識別するための方法であって、前記方法は、
ユーザ機器を用いて第１のコンテンツにアクセスすることと、
前記第１のコンテンツ内の第１の進行点において、前記第１のコンテンツの代わりに第２のコンテンツにアクセスするように前記ユーザ機器に命令することと、
前記第２のコンテンツおよび前記第１の進行点に続く前記第１のコンテンツのセグメントを識別する情報の同時表示を生成することと、
前記第１のコンテンツのセグメントのうちの１つのユーザ選択を受信することと、
前記第１のコンテンツの前記選択されたセグメントに関連するアクションを実施することと
を含む、方法。
【請求項２】
以前にアクセスされたコンテンツのセグメントを識別するための方法であって、前記方法は、
制御回路を用いて、ユーザ機器を用いて第１のコンテンツにアクセスすることと、
前記第１のコンテンツの代わりに第２のコンテンツにアクセスするように前記ユーザ機器に命令することであって、前記第２のコンテンツは、前記第１のコンテンツ内の第１の進行点においてアクセスされる、ことと、
前記第２のコンテンツがアクセスされている間に、前記第１の進行点に続く個別のタイムスタンプと関連付けられる複数のイベントに関して、前記第１のコンテンツと関連付けられるメタデータを監視することと、
前記第１のコンテンツ内の前記複数のイベントのうちのイベントを検出することに応答して、前記第１の進行点に続く前記第１のコンテンツのセグメントのリスト内に前記イベントを識別する情報を記憶することと、
制御回路を用いて、前記ユーザ機器上に表示するために、前記第２のコンテンツおよび前記第１の進行点に続く前記第１のコンテンツの前記セグメントのリストの同時表示を生成することと、
前記制御回路において、前記第１のコンテンツのリスト内の前記セグメントのうちの第１のもののユーザ選択を受信することと、
前記第１のコンテンツ内の前記第１のイベントの開始時間および終了時間を表す、前記第１のセグメントのタイムスタンプを読み出すことと、
前記読み出されたタイムスタンプに基づいて、前記第１のコンテンツの前記選択された第１のセグメントに関連するアクションを実施することと
を含む、方法。
【請求項３】
前記第１のコンテンツのためのフィードバックを集約し、前記第１のコンテンツの興味深いセグメントを識別することと、
前記同時表示内の前記第１のコンテンツの前記識別された興味深いセグメントをハイライトすることと、
前記表示内に、前記第１のコンテンツの前記ハイライトされる識別された興味深いセグメントに関して、付加的相互作用オプションを提示することと
をさらに含む、請求項２に記載の方法。
【請求項４】
前記セグメントのリスト内の各セグメントをユーザプロファイルと比較することと、
所与のセグメントが前記ユーザプロファイルに合致することを判定することに応答して、前記リスト内の前記第１のコンテンツの所与のセグメントを視覚的に区別することと
をさらに含む、請求項２に記載の方法。
【請求項５】
制御回路を用いて、前記個別のイベントのためのメタデータに基づいて、前記個別のイベントのそれぞれのタイプを判定することと、
前記制御回路を用いて、前記イベントタイプをユーザプロファイルと比較することと、
前記リスト内に含むために、前記ユーザプロファイルに合致する個別のイベントタイプを有するイベントを選択することと
をさらに含む、請求項２に記載の方法。
【請求項６】
前記第２のコンテンツがアクセスされている間に、前記第１の進行点に続く個別のタイムスタンプと関連付けられる複数のイベントに関して、前記第１のコンテンツと関連付けられるメタデータを監視することをさらに含む、請求項２に記載の方法。
【請求項７】
前記第１のコンテンツの第１のセグメントの選択に応答して、前記第２のコンテンツ内に表示するために、前記選択された第１のセグメントのためのタイムスタンプに対応する時間における前記第１のコンテンツのピクチャインピクチャ表示、前記選択されたセグメントのための前記タイムスタンプに続く、前記第１のコンテンツのための前記セグメントのリストの表示、および前記第１のセグメントの選択と関連付けられるタイムスタンプに続く、前記第２のコンテンツのためのセグメントの第２のリストの表示を生成することをさらに含む、請求項２に記載の方法。
【請求項８】
前記リスト内の前記第１のコンテンツの前記個別のセグメントに関連する付加的コンテンツへのリンクを記憶することをさらに含む、請求項２に記載の方法。
【請求項９】
前記選択された第１のセグメントに関連するアクションは、前記第１のセグメントを録画すること、前記選択されたセグメントを鑑賞リストに追加すること、ソーシャルネットワーク上で前記第１のセグメントを共有すること、前記選択された第１のセグメントと関連付けられるクリップを生成すること、前記第１の進行点において前記第１のコンテンツを再開すること、および前記第１のセグメントの開始時間から開始する前記第１のコンテンツにアクセスすることのうちの少なくとも１つを含む、請求項２に記載の方法。
【請求項１０】
制御回路を使用して、前記第２のコンテンツと関連付けられる画像を識別することと、
前記第２のコンテンツが完結したときに、
前記第２のコンテンツと関連付けられる前記画像を前記ユーザに提示することと、
前記画像と関連付けられるテキスト解説を提示することと、
前記制御回路を用いて、前記画像および前記画像と関連付けられる前記テキスト解説を投稿するオプションの前記ユーザによる選択を受信することと、
前記選択を受信することに応答して、前記画像および前記テキスト解説を含む通信を前記制御回路からソーシャルネットワークに伝送することと
をさらに含む、請求項２に記載の方法。
【請求項１１】
前記画像は、
前記第２のコンテンツと関連付けられる画像に関して、画像データベースを検索することと、
制御回路を用いて、前記個別の画像のそれぞれについての情報を分析することと、
前記個別の画像のそれぞれについての前記情報に基づいて、前記個別の画像の人気を判定することと、
最高の人気を有する前記個別の画像のうちの画像を選択することと
によって識別される、請求項１０に記載の方法。
【請求項１２】
以前にアクセスされたコンテンツのセグメントを識別するためのシステムであって、前記システムは、
ユーザ入力を受信するように構成される、入出力（Ｉ／Ｏ）インターフェース回路と、
制御回路と
を備え、
前記制御回路は、
制御回路を用いて、ユーザ機器を用いて第１のコンテンツにアクセスすることと、
前記第１のコンテンツの代わりに第２のコンテンツにアクセスするように前記ユーザ機器に命令することと、前記第２のコンテンツは、前記第１のコンテンツ内の第１の進行点においてアクセスされる、ことと、
前記第２のコンテンツがアクセスされている間に、前記第１の進行点に続く個別のタイムスタンプと関連付けられる複数のイベントに関して、前記第１のコンテンツと関連付けられるメタデータを監視することと、
前記第１のコンテンツ内の前記複数のイベントのうちのイベントを検出することに応答して、前記第１の進行点に続く前記第１のコンテンツのセグメントのリスト内に前記イベントを識別する情報を記憶することと、
制御回路を用いて、前記ユーザ機器上に表示するために、前記第２のコンテンツおよび前記第１の進行点に続く前記第１のコンテンツのセグメントのリストの同時表示を生成することと、
前記制御回路において、前記第１のコンテンツのリスト内の前記セグメントのうちの第１のもののユーザ選択を受信することと、
前記第１のコンテンツ内の前記第１のイベントの開始時間および終了時間を表す、前記第１のセグメントのタイムスタンプを読み出すことと、
前記読み出されたタイムスタンプに基づいて、前記第１のコンテンツの選択された第１のセグメントに関連するアクションを実施することと
を行うように構成される、システム。
【請求項１３】
前記制御回路はさらに、
前記第１のコンテンツのためのフィードバックを集約し、前記第１のコンテンツの興味深いセグメントを識別することと、
前記同時表示内の前記第１のコンテンツの識別された興味深いセグメントをハイライトすることと、
前記表示内に、前記第１のコンテンツのハイライトされる識別された興味深いセグメントに関して、付加的相互作用オプションを提示することと
を行うように構成される、請求項１２に記載のシステム。
【請求項１４】
前記制御回路はさらに、
前記セグメントのリスト内の各セグメントをユーザプロファイルと比較することと、
所与のセグメントが前記ユーザプロファイルに合致することを判定することに応答して、前記リスト内の前記第１のコンテンツの所与のセグメントを視覚的に区別することと
を行うように構成される、請求項１２に記載のシステム。
【請求項１５】
前記制御回路はさらに、
制御回路を用いて、前記個別のイベントのためのメタデータに基づいて、前記個別のイベントのそれぞれのタイプを判定することと、
前記制御回路を用いて、前記イベントタイプをユーザプロファイルと比較することと、
前記リスト内に含むために、前記ユーザプロファイルに合致する個別のイベントタイプを有するイベントを選択することと
を行うように構成される、請求項１２に記載のシステム。
【請求項１６】
前記制御回路はさらに、前記第２のコンテンツがアクセスされている間に、前記第１の進行点に続く個別のタイムスタンプと関連付けられる複数のイベントに関して、前記第１のコンテンツと関連付けられるメタデータを監視するように構成される、請求項１２に記載のシステム。
【請求項１７】
前記制御回路はさらに、前記第１のコンテンツの第１のセグメントの選択に応答して、前記第２のコンテンツ内に表示するために、前記選択された第１のセグメントのためのタイムスタンプに対応する時間における前記第１のコンテンツのピクチャインピクチャ表示、前記選択されたセグメントのための前記タイムスタンプに続く、前記第１のコンテンツのための前記セグメントのリストの表示、および前記第１のセグメントの選択と関連付けられるタイムスタンプに続く、前記第２のコンテンツのためのセグメントの第２のリストの表示を生成するように構成される、請求項１２に記載のシステム。
【請求項１８】
前記制御回路はさらに、前記リスト内の前記第１のコンテンツの個別のセグメントに関連する付加的コンテンツへのリンクを記憶するように構成される、請求項１２に記載のシステム。
【請求項１９】
前記選択された第１のセグメントに関連するアクションは、前記第１のセグメントを録画すること、前記選択されたセグメントを鑑賞リストに追加すること、ソーシャルネットワーク上で前記第１のセグメントを共有すること、前記選択された第１のセグメントと関連付けられるクリップを生成すること、前記第１の進行点において前記第１のコンテンツを再開すること、および前記第１のセグメントの開始時間から開始する前記第１のコンテンツにアクセスすることのうちの少なくとも１つを含む、請求項１２に記載のシステム。
【請求項２０】
前記制御回路はさらに、
制御回路を使用して、前記第２のコンテンツと関連付けられる画像を識別することと、
前記第２のコンテンツが完結したときに、
前記第２のコンテンツと関連付けられる前記画像を前記ユーザに提示することと、
前記画像と関連付けられるテキスト解説を提示することと、
前記制御回路を用いて、前記画像および前記画像と関連付けられる前記テキスト解説を投稿するオプションの前記ユーザによる選択を受信することと、
前記選択を受信することに応答して、前記画像および前記テキスト解説を含む通信を前記制御回路からソーシャルネットワークに伝送することと
を行うように構成される、請求項１２に記載のシステム。
【請求項２１】
前記画像を識別するように構成される前記制御回路はさらに、
前記第２のコンテンツと関連付けられる画像に関して、画像データベースを検索することと、
制御回路を用いて、前記個別の画像のそれぞれについての情報を分析することと、
前記個別の画像のそれぞれについての前記情報に基づいて、前記個別の画像の人気を判定することと、
最高の人気を有する前記個別の画像のうちの画像を選択することと
を行うように構成される、請求項２０に記載のシステム。
【請求項２２】
以前にアクセスされたコンテンツのセグメントを識別するためのシステムであって、前記システムは、
制御回路を用いて、ユーザ機器を用いて第１のコンテンツにアクセスするための手段と、
前記第１のコンテンツの代わりに第２のコンテンツにアクセスするように前記ユーザ機器に命令するための手段であって、前記第２のコンテンツは、前記第１のコンテンツ内の第１の進行点においてアクセスされる、手段と、
前記第２のコンテンツがアクセスされている間に、前記第１の進行点に続く個別のタイムスタンプと関連付けられる複数のイベントに関して、前記第１のコンテンツと関連付けられるメタデータを監視するための手段と、
前記第１のコンテンツ内の前記複数のイベントのうちのイベントを検出することに応答して、前記第１の進行点に続く前記第１のコンテンツのセグメントのリスト内に前記イベントを識別する情報を記憶するための手段と、
制御回路を用いて、前記ユーザ機器上に表示するために、前記第２のコンテンツおよび前記第１の進行点に続く前記第１のコンテンツのセグメントのリストの同時表示を生成するための手段と、
前記制御回路において、前記第１のコンテンツのリスト内の前記セグメントのうちの第１のもののユーザ選択を受信するための手段と、
前記第１のコンテンツ内の前記第１のイベントの開始時間および終了時間を表す、前記第１のセグメントのタイムスタンプを読み出すための手段と、
前記読み出されたタイムスタンプに基づいて、前記第１のコンテンツの選択された第１のセグメントに関連するアクションを実施するための手段と
を備える、システム。
【請求項２３】
前記第１のコンテンツのためのフィードバックを集約し、前記第１のコンテンツの興味深いセグメントを識別するための手段と、
前記同時表示内の前記第１のコンテンツの識別された興味深いセグメントをハイライトするための手段と、
前記表示内に、前記第１のコンテンツのハイライトされる識別された興味深いセグメントに関して、付加的相互作用オプションを提示するための手段と
をさらに備える、請求項２２に記載のシステム。
【請求項２４】
前記セグメントのリスト内の各セグメントをユーザプロファイルと比較するための手段と、
所与のセグメントが前記ユーザプロファイルに合致することを判定することに応答して、前記リスト内の前記第１のコンテンツの所与のセグメントを視覚的に区別するための手段と
をさらに備える、請求項２２に記載のシステム。
【請求項２５】
制御回路を用いて、前記個別のイベントのためのメタデータに基づいて、前記個別のイベントのそれぞれのタイプを判定するための手段と、
前記制御回路を用いて、前記イベントタイプをユーザプロファイルと比較するための手段と、
前記リスト内に含むために、前記ユーザプロファイルに合致する個別のイベントタイプを有するイベントを選択するための手段と
をさらに備える、請求項２２に記載のシステム。
【請求項２６】
前記第２のコンテンツがアクセスされている間に、前記第１の進行点に続く個別のタイムスタンプと関連付けられる複数のイベントに関して、前記第１のコンテンツと関連付けられるメタデータを監視するための手段をさらに備える、請求項２２に記載のシステム。
【請求項２７】
前記第１のコンテンツの第１のセグメントの選択に応答して、前記第２のコンテンツ内に表示するために、前記選択された第１のセグメントのためのタイムスタンプに対応する時間における前記第１のコンテンツのピクチャインピクチャ表示、前記選択されたセグメントのための前記タイムスタンプに続く、前記第１のコンテンツのための前記セグメントのリストの表示、および前記第１のセグメントの選択と関連付けられるタイムスタンプに続く、前記第２のコンテンツのためのセグメントの第２のリストの表示を生成するための手段をさらに備える、請求項２２に記載のシステム。
【請求項２８】
前記リスト内の前記第１のコンテンツの個別のセグメントに関連する付加的コンテンツへのリンクを記憶するための手段をさらに備える、請求項２２に記載のシステム。
【請求項２９】
前記選択された第１のセグメントに関連するアクションは、前記第１のセグメントを録画するための手段、前記選択されたセグメントを鑑賞リストに追加するための手段、ソーシャルネットワーク上で前記第１のセグメントを共有するための手段、前記選択された第１のセグメントと関連付けられるクリップを生成するための手段、前記第１の進行点において前記第１のコンテンツを再開するための手段、および前記第１のセグメントの開始時間から開始する前記第１のコンテンツにアクセスするための手段のうちの少なくとも１つを備える、請求項２２に記載のシステム。
【請求項３０】
制御回路を使用して、前記第２のコンテンツと関連付けられる画像を識別するための手段と、
前記第２のコンテンツが完結したときに、
前記第２のコンテンツと関連付けられる前記画像を前記ユーザに提示するための手段と、
前記画像と関連付けられるテキスト解説を提示するための手段と、
前記制御回路を用いて、前記画像および前記画像と関連付けられる前記テキスト解説を投稿するオプションの前記ユーザによる選択を受信するための手段と、
前記選択を受信することに応答して、前記画像および前記テキスト解説を含む通信を前記制御回路からソーシャルネットワークに伝送するための手段と
をさらに備える、請求項２２に記載のシステム。
【請求項３１】
前記画像は、
前記第２のコンテンツと関連付けられる画像に関して、画像データベースを検索するための手段と、
制御回路を用いて、前記個別の画像のそれぞれについての情報を分析するための手段と、
前記個別の画像のそれぞれについての前記情報に基づいて、前記個別の画像の人気を判定するための手段と、
最高の人気を有する前記個別の画像のうちの画像を選択するための手段と
によって識別される、請求項３０に記載のシステム。
【請求項３２】
以前にアクセスされたコンテンツのセグメントを識別するためのその上にエンコードされた非一過性のコンピュータ可読命令を有する、非一過性のコンピュータ可読媒体であって、非一過性のコンピュータ可読媒体は、
制御回路を用いて、ユーザ機器を用いて第１のコンテンツにアクセスするための命令と、
前記第１のコンテンツの代わりに第２のコンテンツにアクセスするように前記ユーザ機器に命令するための命令であって、前記第２のコンテンツは、前記第１のコンテンツ内の第１の進行点においてアクセスされる、命令と、
前記第２のコンテンツがアクセスされている間に、前記第１の進行点に続く個別のタイムスタンプと関連付けられる複数のイベントに関して、前記第１のコンテンツと関連付けられるメタデータを監視するための命令と、
前記第１のコンテンツ内の前記複数のイベントのうちのイベントを検出することに応答して、前記第１の進行点に続く前記第１のコンテンツのセグメントのリスト内に前記イベントを識別する情報を記憶するための命令と、
制御回路を用いて、前記ユーザ機器上に表示するために、前記第２のコンテンツおよび前記第１の進行点に続く前記第１のコンテンツのセグメントのリストの同時表示を生成するための命令と、
前記制御回路において、前記第１のコンテンツのリスト内の前記セグメントのうちの第１のもののユーザ選択を受信するための命令と、
前記第１のコンテンツ内の前記第１のイベントの開始時間および終了時間を表す、前記第１のセグメントのタイムスタンプを読み出すための命令と、
前記読み出されたタイムスタンプに基づいて、前記第１のコンテンツの選択された第１のセグメントに関連するアクションを実施するための命令と
を備える、非一過性のコンピュータ可読媒体。
【請求項３３】
前記第１のコンテンツのためのフィードバックを集約し、前記第１のコンテンツの興味深いセグメントを識別するための命令と、
前記同時表示内の前記第１のコンテンツの識別された興味深いセグメントをハイライトするための命令と、
前記表示内に、前記第１のコンテンツのハイライトされる識別された興味深いセグメントに関して、付加的相互作用オプションを提示するための命令と
をさらに備える、請求項３２に記載の非一過性のコンピュータ可読媒体。
【請求項３４】
前記セグメントのリスト内の各セグメントをユーザプロファイルと比較するための命令と、
所与のセグメントが前記ユーザプロファイルに合致することを判定することに応答して、前記リスト内の前記第１のコンテンツの所与のセグメントを視覚的に区別するための命令と
をさらに備える、請求項３２に記載の非一過性のコンピュータ可読媒体。
【請求項３５】
制御回路を用いて、前記個別のイベントのためのメタデータに基づいて、前記個別のイベントのそれぞれのタイプを判定するための命令と、
前記制御回路を用いて、前記イベントタイプをユーザプロファイルと比較するための命令と、
前記リスト内に含むために、前記ユーザプロファイルに合致する個別のイベントタイプを有するイベントを選択するための命令と
をさらに備える、請求項３２に記載の非一過性のコンピュータ可読媒体。
【請求項３６】
前記第２のコンテンツがアクセスされている間に、前記第１の進行点に続く個別のタイムスタンプと関連付けられる複数のイベントに関して、前記第１のコンテンツと関連付けられるメタデータを監視するための命令をさらに備える、請求項３２に記載の非一過性のコンピュータ可読媒体。
【請求項３７】
前記第１のコンテンツの第１のセグメントの選択に応答して、前記第２のコンテンツ内に表示するために、前記選択された第１のセグメントのためのタイムスタンプに対応する時間における前記第１のコンテンツのピクチャインピクチャ表示、前記選択されたセグメントのための前記タイムスタンプに続く、前記第１のコンテンツのための前記セグメントのリストの表示、および前記第１のセグメントの選択と関連付けられるタイムスタンプに続く、前記第２のコンテンツのためのセグメントの第２のリストの表示を生成するための命令をさらに備える、請求項３２に記載の非一過性のコンピュータ可読媒体。
【請求項３８】
前記リスト内の前記第１のコンテンツの個別のセグメントに関連する付加的コンテンツへのリンクを記憶するための命令をさらに備える、請求項３２に記載の非一過性のコンピュータ可読媒体。
【請求項３９】
前記選択された第１のセグメントに関連するアクションは、前記第１のセグメントを録画するための命令、前記選択されたセグメントを鑑賞リストに追加するための命令、ソーシャルネットワーク上で前記第１のセグメントを共有するための命令、前記選択された第１のセグメントと関連付けられるクリップを生成するための命令、前記第１の進行点において前記第１のコンテンツを再開するための命令、および前記第１のセグメントの開始時間から開始する前記第１のコンテンツにアクセスするための命令のうちの少なくとも１つを備える、請求項３２に記載の非一過性のコンピュータ可読媒体。
【請求項４０】
制御回路を使用して、前記第２のコンテンツと関連付けられる画像を識別するための命令と、
前記第２のコンテンツが完結したときに、
前記第２のコンテンツと関連付けられる前記画像を前記ユーザに提示するための命令と、
前記画像と関連付けられるテキスト解説を提示するための命令と、
前記制御回路を用いて、前記画像および前記画像と関連付けられる前記テキスト解説を投稿するオプションの前記ユーザによる選択を受信するための命令と、
前記選択を受信することに応答して、前記画像および前記テキスト解説を含む通信を前記制御回路からソーシャルネットワークに伝送するための命令と
をさらに備える、請求項３２に記載の非一過性のコンピュータ可読媒体。
【請求項４１】
前記画像は、
前記第２のコンテンツと関連付けられる画像に関して、画像データベースを検索するための命令と、
制御回路を用いて、前記個別の画像のそれぞれについての情報を分析するための命令と、
前記個別の画像のそれぞれについての前記情報に基づいて、前記個別の画像の人気を判定するための命令と、
最高の人気を有する前記個別の画像のうちの画像を選択するための命令と
によって、識別される、請求項４０に記載の非一過性のコンピュータ可読媒体。
【請求項４２】
以前にアクセスされたコンテンツのセグメントを識別するための方法であって、前記方法は、
制御回路を用いて、ユーザ機器を用いて第１のコンテンツにアクセスすることと、
前記第１のコンテンツの代わりに第２のコンテンツにアクセスするように前記ユーザ機器に命令することであって、前記第２のコンテンツは、前記第１のコンテンツ内の第１の進行点においてアクセスされる、ことと、
前記第２のコンテンツがアクセスされている間に、前記第１の進行点に続く個別のタイムスタンプと関連付けられる複数のイベントに関して、前記第１のコンテンツと関連付けられるメタデータを監視することと、
前記第１のコンテンツ内の前記複数のイベントのうちのイベントを検出することに応答して、前記第１の進行点に続く前記第１のコンテンツのセグメントのリスト内に前記イベントを識別する情報を記憶することと、
制御回路を用いて、前記ユーザ機器上に表示するために、前記第２のコンテンツおよび前記第１の進行点に続く前記第１のコンテンツのセグメントのリストの同時表示を生成することと、
前記制御回路において、前記第１のコンテンツのリスト内の前記セグメントのうちの第１のもののユーザ選択を受信することと、
前記第１のコンテンツ内の前記第１のイベントの開始時間および終了時間を表す、前記第１のセグメントのタイムスタンプを読み出すことと、
前記読み出されたタイムスタンプに基づいて、前記第１のコンテンツの選択された第１のセグメントに関連するアクションを実施することと
を含む、方法。
【請求項４３】
前記第１のコンテンツのためのフィードバックを集約し、前記第１のコンテンツの興味深いセグメントを識別することと、
前記同時表示内の前記第１のコンテンツの識別された興味深いセグメントをハイライトすることと、
前記表示内に、前記第１のコンテンツのハイライトされる識別された興味深いセグメントに関して、付加的相互作用オプションを提示することと
をさらに含む、請求項４２に記載の方法。
【請求項４４】
前記セグメントのリスト内の各セグメントをユーザプロファイルと比較することと、
所与のセグメントが前記ユーザプロファイルに合致することを判定することに応答して、前記リスト内の前記第１のコンテンツの所与のセグメントを視覚的に区別することと
をさらに含む、請求項４２−４３のいずれか１項に記載の方法。
【請求項４５】
制御回路を用いて、前記個別のイベントのためのメタデータに基づいて、前記個別のイベントのそれぞれのタイプを判定することと、
前記制御回路を用いて、前記イベントタイプをユーザプロファイルと比較することと、
前記リスト内に含むために、前記ユーザプロファイルに合致する個別のイベントタイプを有するイベントを選択することと
をさらに含む、請求項４２−４４のいずれか１項に記載の方法。
【請求項４６】
前記第２のコンテンツがアクセスされている間に、前記第１の進行点に続く個別のタイムスタンプと関連付けられる複数のイベントに関して、前記第１のコンテンツと関連付けられるメタデータを監視することをさらに含む、請求項４２−４５のいずれか１項に記載の方法。
【請求項４７】
前記第１のコンテンツの第１のセグメントの選択に応答して、前記第２のコンテンツ内に表示するために、前記選択された第１のセグメントのためのタイムスタンプに対応する時間における前記第１のコンテンツのピクチャインピクチャ表示、前記選択されたセグメントのための前記タイムスタンプに続く、前記第１のコンテンツのための前記セグメントのリストの表示、および前記第１のセグメントの選択と関連付けられるタイムスタンプに続く、前記第２のコンテンツのためのセグメントの第２のリストの表示を生成することをさらに含む、請求項４２−４６のいずれか１項に記載の方法。
【請求項４８】
前記リスト内の前記第１のコンテンツの個別のセグメントに関連する付加的コンテンツへのリンクを記憶することをさらに含む、請求項４２−４７のいずれか１項に記載の方法。
【請求項４９】
前記選択された第１のセグメントに関連するアクションは、前記第１のセグメントを録画すること、前記選択されたセグメントを鑑賞リストに追加すること、ソーシャルネットワーク上で前記第１のセグメントを共有すること、前記選択された第１のセグメントと関連付けられるクリップを生成すること、前記第１の進行点において前記第１のコンテンツを再開すること、および前記第１のセグメントの開始時間から開始する前記第１のコンテンツにアクセスすることのうちの少なくとも１つを含む、請求項４２−４８のいずれか１項に記載の方法。
【請求項５０】
制御回路を使用して、前記第２のコンテンツと関連付けられる画像を識別することと、
前記第２のコンテンツが完結したときに、
前記第２のコンテンツと関連付けられる前記画像を前記ユーザに提示することと、
前記画像と関連付けられるテキスト解説を提示することと、
前記制御回路を用いて、前記画像および前記画像と関連付けられる前記テキスト解説を投稿するオプションの前記ユーザによる選択を受信することと、
前記選択を受信することに応答して、前記画像および前記テキスト解説を含む通信を前記制御回路からソーシャルネットワークに伝送することと
をさらに含む、請求項４２−４９のいずれか１項に記載の方法。
【請求項５１】
前記画像は、
前記第２のコンテンツと関連付けられる画像に関して、画像データベースを検索することと、
制御回路を用いて、前記個別の画像のそれぞれについての情報を分析することと、
前記個別の画像のそれぞれについての前記情報に基づいて、前記個別の画像の人気を判定することと、
最高の人気を有する前記個別の画像のうちの画像を選択することと
によって識別される、請求項４２−５０のいずれか１項に記載の方法。
【発明の詳細な説明】
【背景技術】
【０００１】
（背景）
多数のタイプおよびソースのメディアコンテンツが存在し、視聴者が耳にする興味深いメディアの全てを鑑賞する時間を見出すことは、ますます困難である。加えて、それぞれが、メディアと相互作用するためのオプションを伴う広告およびポップアップウィンドウによって中断され得る、ストリーミングメディアならびにライブコンテンツの視聴の平衡を保つことは、メディア消費を複雑で時間のかかるものにし得る。一部の視聴者はまた、聴衆解説に参加し、またはあるメディアを視聴していることを示し、メディア視聴体験をより社会的にすることを所望し得る。視聴者がコンテンツのハイライトまたはある部分を視聴し得るように、複数のコンテンツアイテムの提示を単純化することは、限定された時間周期内により興味深いコンテンツを消費する視聴者の能力を改良し得る。
【発明の概要】
【課題を解決するための手段】
【０００２】
（要約）
故に、システムおよび方法が、視聴者がアクセスしたコンテンツについての情報を提供するために説明される。実施例では、視聴者がアクセスしたコンテンツに関するセグメントを含む表示が、視聴者のために提供される。視聴者は、例えば、スポーツイベント等のメディアコンテンツにアクセスし得る。スポーツイベントが再生されている間に、視聴者は、テレビシリーズのエピソード等の他のコンテンツを視聴することを所望し得る。視聴者が他のコンテンツにアクセスする（例えば、チャネルを変更し、テレビシリーズを視聴する）とき、ユーザ機器上で起動するメディアガイドアプリケーションは、以前に視聴されたスポーツイベントについての情報を収集し、視聴者が現在視聴しているテレビシリーズの画面内に表示するために集約してもよい。スポーツイベントについての情報は、テレビシリーズの表示画面内で比較的に目立たないように、進捗バーまたは他の形式で表示されてもよい。すなわち、以前に視聴されたコンテンツの分割画面またはピクチャインピクチャビューを提供するのではなく、視聴者は、以前にアクセスされたコンテンツのためのハイライトおよび更新セグメントを含む、表示の小さい部分のみを伴って、メディアコンテンツのメイン表示を含む、画面を鑑賞することができる。
【０００３】
例証的実施例では、方法およびシステムが、以前にアクセスされたコンテンツのセグメントを識別するために提供される。視聴者が、ユーザ機器を用いて第１のコンテンツにアクセスしてもよい。第１のコンテンツは、任意のメディアソースから取得され得る、任意のタイプのメディアコンテンツであってもよい。いくつかのシナリオでは、第１のコンテンツは、視聴者に特定の時間にそれを視聴することを所望させるであろう、スポーツイベントまたは初回放送テレビエピソード等のあるライブまたは瞬間側面を有するメディアのタイプであってもよい。しかしながら、第１のコンテンツは、任意のタイプのメディアであり得る。コンテンツにアクセスするために使用されるユーザ機器は、テレビ、タブレット、コンピュータ、ポータブルデバイス、ゲームデバイス、セットトップボックス、モバイルデバイス、携帯電話等のメディアアイテムを表示することが可能な任意のタイプのユーザデバイスであってもよい。一般に、そのようなユーザ機器は、メディアアクセスをサポートし、向上された特徴およびメディアとの相互作用を提供するように、メディアガイドアプリケーションと動作されてもよい。
【０００４】
視聴者が第１のコンテンツにアクセスした後、視聴者は、第２のメディアコンテンツアイテムを視聴することを所望し得、メディアガイドアプリケーションを介して、第１のコンテンツの代わりに第２のコンテンツにアクセスするようにユーザ機器に命令するであろう。例えば、視聴者は、スポーツの試合を鑑賞することを止め、代わりにテレビシリーズのエピソードを鑑賞することを所望し得る。メディアガイドアプリケーションは、第２のコンテンツにアクセスする命令を受信し、画面表示を変更し、第２のコンテンツを示すであろう。メディアガイドアプリケーションは、ユーザが第１のコンテンツを鑑賞することを止めた時点（第１の進行点）についての情報を記憶するであろう。第１のコンテンツ内の第１の進行点の時間は、第１のコンテンツについての情報の表示を生成する際に使用するために、メディアガイドアプリケーションによってキャッシュ内に記憶されてもよい。
【０００５】
メディアガイドアプリケーションは、第２のコンテンツおよび第１の進行点に続く第１のコンテンツのセグメントを識別する情報の同時表示を生成してもよい。上記の実施例を使用して、テレビエピソードの表示内で、視聴者がスポーツイベントにアクセスすることを止めた後に起こった、イベントハイライト、画期的な出来事等のスポーツイベントについての情報が、識別され、画面内に示されてもよい。本配列は、視聴者がスポーツイベント内で起こるイベントを追跡し得るように、（視聴者がそれにアクセスしていたため）視聴者にとって興味深いことが公知であるメディアについてのある情報を提供しながら、視聴者がテレビ番組を鑑賞することを可能にする。
【０００６】
情報セグメントの表示は、ユーザがセグメントを選択し、セグメントに関連するアクションを引き起こし得るような様式で、提供されてもよい。メディアガイドアプリケーションは、第１のコンテンツのセグメントのうちの第１のものの視聴者の選択を受信してもよく、メディアガイドアプリケーションは、第１のコンテンツの選択された第１のセグメントに関連するアクションを実施するであろう。例えば、視聴者は、ディスプレイ、リモートコントロール、または他の入力デバイス上のタッチスクリーンを使用し、画面上に示されるセグメントのうちの１つを選択してもよい。セグメントは、視聴者が、セグメントの時間に、第１のコンテンツ、すなわち、スポーツイベントを視聴し得るように、チャネルまたはソース入力を変更すること等のセグメントに関連する、あるメディア動作を実施するように選択されてもよい。他のアクションは、第１のコンテンツを録画すること、視聴者がスポーツイベントを鑑賞することを止めた時間から第１のコンテンツを再開すること、セグメント内で起こるイベントへのリンクを取得すること、セグメントイベントのクリップを視聴すること、または他のアクションであり得る。
【０００７】
別の実施例では、以前にアクセスされたコンテンツのセグメントを識別するためのシステムおよび方法が、制御回路を用いて、ユーザ機器を用いて第１のコンテンツにアクセスすることによって提供されてもよい。第１のコンテンツは、映画、テレビ番組、スポーツイベント、リアリティ番組、テレビシリーズのエピソード、または他のメディアコンテンツ等の任意のタイプのメディアコンテンツであってもよい。第１のコンテンツは、テレビ画面またはポータブルデバイス等のユーザ機器の表示画面に配信するためにメディアガイドアプリケーションを使用してアクセスされる、テレビ、サブスクリプションストリーミングサービス、インターネットメディアソース、または他のメディアソース等の任意のタイプのメディアソースによって提供されてもよい。視聴者が第１のコンテンツを鑑賞し始めた後に、視聴者は、他のメディアコンテンツを鑑賞することを所望し得、第１のコンテンツの代わりに第２のコンテンツにアクセスするようにユーザ機器に命令する、メディアガイドアプリケーションによって受信される命令を入力するであろう。実施例では、視聴者は、１つのテレビ番組を鑑賞するが、次いで、第２のテレビ番組に変更することを所望し得る。別の実施例では、視聴者は、スポーツイベントを視聴するが、次いで、第２のスポーツイベントまたは第２のテレビ番組に変更することを所望し得る。視聴者は、依然として、第１の番組を追跡することを所望し得、例えば、コマーシャルまたは他の周期的中断において第１の番組に手動で戻り得る。
【０００８】
第２のコンテンツがアクセスされる時間は、第１のコンテンツ内の第１の進行点である。第１の進行点の時間は、例えば、視聴者のために第１のコンテンツ内の以降のイベントをハイライトするための開始点を提供するように、メディアガイドアプリケーションによって記憶されてもよい。
【０００９】
第２のコンテンツが視聴者によってアクセスされている間に、すなわち、視聴者が第２のテレビ番組を鑑賞している間に、メディアガイドアプリケーションは、第１のコンテンツと関連付けられるメタデータを監視してもよい。例えば、メディアガイドアプリケーションは、コンテンツプロバイダからのスポーツフィードを使用して、スポーツイベント等の第１のコンテンツについてのメタデータを監視してもよい。いくつかのシナリオでは、メディアガイドアプリケーションは、コンテンツについての解説またはライブストリームを提供するメディアアグリゲータ等の第三者ソースからの第１のコンテンツについてのメタデータを監視してもよい。別の実施例では、メディアガイドアプリケーションは、メディアアイテムに関する更新およびイベントに関して、ソーシャルメディアネットワークを監視してもよい。
【００１０】
第１のコンテンツに関してメディアガイドアプリケーションによって実施されるメタデータ監視は、第１のコンテンツ内で起こるイベントに関してメタデータを監視することを含んでもよい。そのようなイベントは、第１の進行点に続く個別のタイムスタンプと関連付けられてもよい。したがって、スポーツイベントの実施例では、メディアガイドアプリケーションは、視聴者がスポーツイベントにアクセスすることを止めた、および視聴者が第２のテレビ番組を鑑賞し始めた時間に続いて、スポーツイベント内で起こるイベントに関してメタデータを監視するであろう。スポーツイベント内のイベントのいくつかの実施例は、得点されるポイント、ペナルティ、ハーフタイムショーに関連し得、加えて、イベントは、スポーツイベントに関してソーシャルメディア内でタグ付けまたは投稿される瞬間であり得る。
【００１１】
第１のコンテンツ内のイベントまたは複数のイベントを検出することに応答して、メディアガイドアプリケーションは、第１の進行点に続く第１のコンテンツのセグメントのリスト内にイベントを識別する情報を記憶してもよい。スポーツイベントに関する各イベントは、メディアガイドアプリケーションが、進行点に続くそのようなイベントを列挙し得るように、タイムスタンプを伴ってメモリ内に記憶またはキャッシュされてもよい。タイムスタンプは、表示内等でイベントを順序付けるために使用されることができる。
【００１２】
メディアガイドアプリケーションは、次いで、視聴者のテレビまたはポータブルタブレット等のユーザ機器上に表示するために、第２のコンテンツおよび第１の進行点に続く第１のコンテンツのセグメントのリストの同時表示を生成してもよい。したがって、視聴者が第２のテレビ番組を鑑賞している間に、視聴者は、視聴者が第１のコンテンツを鑑賞することを止めたときに続く、第１のコンテンツに関するセグメントのリストを含む、同一の画面内の表示を見ることができる。スポーツイベントの実施例を使用して、視聴者は、スポーツイベントを鑑賞することからテレビ番組を鑑賞することに切り替えることができ、番組を鑑賞しながら、視聴者は、視聴者がスポーツイベントを鑑賞することを止めてからスポーツイベント内で起こっているイベントのリストを表示内で見ることができる。したがって、視聴者は、第２の番組を鑑賞し続け、イベントがスポーツイベント内で起こっているとき、例えば、ポイントが得点される、または選手が入って来るもしくは出て行くとき等を見ることができる。
【００１３】
第１のコンテンツからのイベントまたはセグメントのリストは、視聴者によって選択されてもよい。メディアガイドアプリケーションが、第１のコンテンツのリスト内のセグメントのユーザ選択を受信するとき、メディアガイドアプリケーションは、第１のコンテンツ内の関連付けられるイベントの開始時間および終了時間を表す、選択されたセグメントのタイムスタンプを読み出してもよい。
【００１４】
メディアガイドアプリケーションは、読み出されたタイムスタンプに基づいて、第１のコンテンツの選択された第１のセグメントに関連するアクションを実施することができる。例えば、メディアガイドアプリケーションは、読み出されたタイムスタンプ情報を使用し、視聴者が関心があるイベントの時間および部分を識別してもよい。第１のセグメントの選択に応答してメディアガイドアプリケーションによって実施され得る、いくつかのタイプのアクションは、例えば、第１のセグメントを録画すること、選択されたセグメントを鑑賞リストに追加すること、ソーシャルネットワーク上で第１のセグメントを共有すること、選択された第１のセグメントと関連付けられるクリップを生成すること、第１の進行点において第１のコンテンツを再開すること、および第１のセグメントの開始時間から開始する第１のコンテンツにアクセスすることを含んでもよい。
【００１５】
例証的実施例では、バスケットボールの試合を鑑賞する視聴者は、別のテレビ番組を鑑賞することを選定してもよいが、視聴者がバスケットボールの試合を鑑賞することを止めた後に起こる、バスケットボールの試合に関連するイベントのためのセグメントを含む、テレビ番組画面内に表示されるリストを介して、バスケットボールの試合上でタブを保つであろう。視聴者が、リスト内の興味深いセグメントを見る場合、視聴者は、セグメントを選択してもよく、メディアガイドアプリケーションは、メディアガイドアプリケーションがコンテンツを配信する、または視聴者のためにイベントに関してあるアクションを実施し得るように、セグメントの開始および終了のためのタイムスタンプを判定するであろう。
【００１６】
リスト内に含まれるセグメントは、第１のコンテンツに関連する情報のメタデータまたはフィードを使用して、投入されてもよい。いくつかのシナリオでは、メディアガイドアプリケーションは、第１のコンテンツおよび第１のコンテンツのためのメタデータについてのフィードバックを収集し、第１のコンテンツのための興味深いセグメントを識別するであろう。理想的には、あまり興味深くないセグメントが画面を乱さないように、最も興味深いセグメントが、表示内に含まれるであろう。いくつかのより興味深いセグメントが、視聴者のためにそれらをより際立たせるように、特定の様式でハイライトされてもよい。例えば、セグメントのリストは、バスケットボールの試合についてのあるイベント、おそらく、得点されるポイント、また、ソーシャルメディア上で議論されている特別なプレーに関連し得る。そのようなプレーは、セグメントのリスト内でハイライトされてもよい。より興味深いセグメントはまた、関連付けられる付加的相互作用オプションを有してもよい。例えば、Ｔｗｉｔｔｅｒ上でトレンドになっている特別なプレーに関して、プレーについてのＴｗｉｔｔｅｒストリームにアクセスするオプションが存在し得る。また、イベントを捕捉し、視聴者のソーシャルメディア上のコンテンツにリンクする方法も存在し得る。他の付加的相互作用オプションもまた、興味深いイベントのために提供され得る。
【００１７】
メディアガイドアプリケーションはまた、視聴者のユーザプロファイルを使用し、視聴者により関連性があり得るセグメントを識別してもよい。特に、メディアガイドアプリケーションは、第１のコンテンツについてのセグメントのリスト内の各セグメントをユーザのプロファイルと比較してもよく、次いで、任意の合致または関連セグメントが、視覚的に際立った様式でリスト内に表示されてもよい。バスケットボールの試合に関する実施例では、視聴者は、ユーザプロファイル内に記憶される架空のバスケットボールチームを有してもよい。バスケットボールの試合が、視聴者の架空のチームからの選手を含む場合、視聴者の架空の選手に関連する任意のセグメントアイテムが、際立った様式で示されてもよい。このように、視聴者は、チーム選手のためのコンテンツアクションにアクセスすることが可能であり得る。
【００１８】
別の実施例では、セグメント内のイベントのタイプが、個別のイベントのためのメタデータに基づいて、メディアガイドアプリケーションによって判定されてもよい。メディアガイドアプリケーションは、イベントタイプを視聴者のユーザプロファイルと比較してもよい。ユーザプロファイルに合致するイベントタイプを有する任意のイベントが、セグメントのリスト内に含むように、メディアガイドアプリケーションによって選択されてもよい。実施例として、視聴者は、スポーツイベント内のハーフタイムショーを鑑賞することを楽しみ得る。バスケットボールの試合の実施例では、ハーフタイムショーは、ユーザプロファイル内の情報と合致するため、セグメントリスト内に含むために選択され得る、合致イベントであってもよい。当然ながら、ハーフタイムショーはまた、ソーシャルメディア上でトレンドになっているため、または他の理由により、セグメントリスト内に含まれ得る。
【００１９】
別の実施例では、視聴者がテレビ番組等の第２のコンテンツにアクセスしている間に、メディアガイドアプリケーションは、第１の進行点の後に個別のタイムスタンプを有するイベントまたは複数のイベント、すなわち、視聴者が第１のコンテンツにアクセスすることを止めた後に起こるイベントに関して、第１のコンテンツのためのメタデータを監視してもよい。
【００２０】
実施例では、視聴者は、第２のコンテンツを鑑賞し、またはそれにアクセスし、第１のコンテンツのためのセグメントのリスト内の興味深いセグメントを見てもよい。視聴者が、興味深いセグメントを選択する場合、メディアガイドアプリケーションは、第２のコンテンツの画面内に表示するために、選択された第１のセグメントのためのタイムスタンプに対応する時間における第１のコンテンツのピクチャインピクチャ表示を生成してもよい。表示はまた、選択されたセグメントのためのタイムスタンプに続く、第１のコンテンツのためのセグメントのリストの表示を含んでもよい。いくつかのシナリオでは、第１のセグメントの選択と関連付けられるタイムスタンプに続く、第２のコンテンツのためのセグメントの第２のリストの表示もまた、表示内に含まれてもよい。したがって、視聴者は、第２のコンテンツの画面内で、第１のコンテンツ内で起こるイベントの小さい表示を鑑賞することができる。視聴者がピクチャインピクチャ表示内の第１のコンテンツイベントに集中している場合において、第２のコンテンツ内のイベントを示す進捗バーもまた、表示内に含まれてもよいため、視聴者は、見落としている場合があるものを見ることができる。
【００２１】
いくつかの実施例では、メディアガイドアプリケーションは、例えば、メディアガイドアプリケーションがメタデータを監視し、セグメントリスト内に含むイベントを判定しているときに、キャッシュまたはメモリ内に、イベント、セグメント、および個別のタイムスタンプについての情報を記憶してもよい。メディアガイドアプリケーションはまた、第１のコンテンツのための個別のセグメントに関連する付加的コンテンツへのリンクを記憶してもよい。そのようなリンクは、ユーザがそれにアクセスすることを所望する場合に、コンテンツへの容易なアクセスを提供するように記憶されてもよい。
【００２２】
別の実施例では、視聴者は、あるメディアを鑑賞した、またはそれにアクセスしたことを共有することを所望し得る。例えば、視聴者は、ソーシャルメディア上でそれを共有することを所望し得る。視聴者が本情報を共有することを支援するために、メディアガイドアプリケーションは、制御回路を用いて、第２のコンテンツと関連付けられる画像を識別してもよい。第２のコンテンツが完結したとき、例えば、視聴者が第２のコンテンツにアクセスし終えた、またはそれを鑑賞し終えたときに、メディアガイドアプリケーションは、第２のコンテンツと関連付けられる画像をユーザに提示してもよい。メディアガイドアプリケーションはまた、画像と関連付けられるテキスト解説を含む画像を提示してもよい。視聴者は、画像およびテキスト解説をソーシャルメディアに投稿することを所望し得、メディアガイドアプリケーションは、画像および画像と関連付けられるテキスト解説を投稿するオプションのユーザによる選択を受信してもよい。本選択に応答して、メディアガイドアプリケーションは、画像およびテキスト解説を含む通信を制御回路からソーシャルネットワークに伝送してもよい。
【００２３】
メディアガイドアプリケーションは、第２のコンテンツと関連付けられる画像に関して、画像データベースを検索することによって、ユーザのためにソーシャルネットワークに投稿するための画像を識別してもよい。画像データベースは、メディア集中データベースまたは任意のタイプの画像を含むデータベースであり得る。メディアガイドアプリケーションは、個別の画像のそれぞれについての情報を分析してもよい。個別の画像についての情報は、例えば、画像のソースまたは使用を示す、画像についてメタデータであり得る。メディアガイドアプリケーションは、画像についての情報を使用し、個別の画像の人気を判定し、最も人気がある画像を選択してもよい。例えば、複数の画像データベース内に出現する、またはソーシャルネットワークで使用される画像は、より人気があると見なされてもよい。
【００２４】
上記に説明されるシステム、方法、装置、および／または側面は、本開示に説明される他のシステム、方法、装置、ならびに／もしくは側面に適用される、またはそれに従って使用され得ることに留意されたい。
【００２５】
本開示の上記および他の目的ならびに利点は、同様の参照文字が全体を通して同様の部分を指す、添付の図面と併せて考慮される、以下の発明を実施するための形態の検討から明白となるであろう。
【図面の簡単な説明】
【００２６】
【図１】図１は、本開示のいくつかの実施形態による、メディアガイドアプリケーションによって生成される画面内に表示されているメディアコンテンツの例証的実施例を示す。
【００２７】
【図２】図２は、本開示のいくつかの実施形態による、メディアガイドアプリケーションによって生成される画面内に他のメディアコンテンツについての情報とともに表示されているメディアコンテンツの別の例証的実施例を示す。
【００２８】
【図３】図３は、本開示のいくつかの実施形態による、メディアガイドアプリケーションによって生成される画面内に表示されているメディアコンテンツの別の例証的実施例を示す。
【００２９】
【図４】図４は、本開示のいくつかの実施形態による、メディアガイドアプリケーションによって生成される画面内の他のメディアコンテンツについての情報とともに表示されているメディアコンテンツの別の例証的実施例を示す。
【００３０】
【図５】図５は、本開示のいくつかの実施形態による、メディアガイドアプリケーションによって生成されるメディアコンテンツのための進捗バーおよびオプションメニューの例証的実施例を示す。
【００３１】
【図６】図６は、本開示のいくつかの実施形態による、メディアガイドアプリケーションによって生成される画面内の他のメディアコンテンツについてのピクチャインピクチャ表示および情報とともに表示されているメディアコンテンツおよび進捗バーの別の例証的実施例を示す。
【００３２】
【図７】図７は、本開示のいくつかの実施形態による、メディアコンテンツ、他のコンテンツのピクチャインピクチャ表示、およびメディアガイドアプリケーションによって生成されるメディアコンテンツと相互作用するためのオプションの例証的実施例を示す。
【００３３】
【図８】図８−９は、本開示のいくつかの実施形態による、メディアガイドアプリケーションによって生成される表示画面の他の例証的実施例を示す。
【図９】図８−９は、本開示のいくつかの実施形態による、メディアガイドアプリケーションによって生成される表示画面の他の例証的実施例を示す。
【００３４】
【図１０】図１０は、本開示のいくつかの実施形態による、例証的ユーザ機器デバイスのブロック図である。
【００３５】
【図１１】図１１は、本開示のいくつかの実施形態による、例証的メディアシステムのブロック図である。
【００３６】
【図１２】図１２−１３は、本開示のいくつかの実施形態による、最近視聴されたメディアコンテンツの進捗バーを生成するための例証的プロセスのフローチャートである。
【図１３】図１２−１３は、本開示のいくつかの実施形態による、最近視聴されたメディアコンテンツの進捗バーを生成するための例証的プロセスのフローチャートである。
【００３７】
【図１４】図１４−１６は、本開示のいくつかの実施形態による、最近視聴されたメディアコンテンツのための進捗バー内に含むべきセグメントを選択するための例証的プロセスのフローチャートである。
【図１５】図１４−１６は、本開示のいくつかの実施形態による、最近視聴されたメディアコンテンツのための進捗バー内に含むべきセグメントを選択するための例証的プロセスのフローチャートである。
【図１６】図１４−１６は、本開示のいくつかの実施形態による、最近視聴されたメディアコンテンツのための進捗バー内に含むべきセグメントを選択するための例証的プロセスのフローチャートである。
【００３８】
【図１７】図１７は、本開示のいくつかの実施形態による、視聴者のためのメディアコンテンツに関連する画像を選択するための例証的プロセスのフローチャートである。
【発明を実施するための形態】
【００３９】
（詳細な説明）
故に、システムおよび方法が、視聴者のメディア消費体験を向上させるために本明細書に説明される。特に、１つを上回るメディアアイテムに関心がある視聴者に関して、視聴者は、１つのメディアコンテンツアイテムを視聴し、次いで、第２のメディアコンテンツアイテムに切り替えてもよい。メディアガイドアプリケーションは、１つのメディアアイテムから第２のメディアアイテムへの視聴者の切替を検出してもよく、もはや視聴されていないメディアアイテムを監視し、そのメディアアイテムについての情報を視聴者に提示することができる。例えば、視聴者は、スポーツイベントにアクセスし、次いで、テレビ番組等の別のメディアアイテムにアクセスすることに変更してもよい。メディアガイドアプリケーションは、視聴者がイベントにアクセスすることを止めた後に、スポーツイベントの進捗を監視してもよい。スポーツイベントからのハイライトまたはイベントが、メディアガイドアプリケーションによって識別されてもよく、そのようなイベントについての情報が、視聴者が鑑賞しているテレビ番組の画面内の進捗バー表示内で視聴者に提示されてもよい。したがって、ユーザは、視聴者が見落としているスポーツイベントについての詳細に注意しながら、テレビ番組を視聴することが可能であり得る。いくつかのシナリオでは、視聴者が多くの興味を引かない情報に気を取られないように、進捗バーが比較的に小さく、進捗バー内の情報が視聴者のための最も関連性がある情報のみに限定されることが有用であり得る。他のシナリオでは、ユーザは、ユーザがスポーツイベントにおいて何も見落とさないように、進捗バー内に多くの情報を有することを所望し得る。そのような選好は、ユーザのユーザプロファイル内に含まれてもよい。
【００４０】
図１を参照すると、視聴者は、画面１００に示されるようなバスケットボールの試合等のメディアコンテンツのアイテムにアクセスしてもよい。画面１００は、メディアを表示することが可能である任意のタイプの電子ディスプレイ画面であってもよい。例えば、画面１００は、テレビ、コンピュータ、ポータブルデバイス、タブレット、または他の画面デバイスであってもよい。バスケットボールの試合１１０は、画面１００上に表示するためにメディアコンテンツを生成することが可能なメディアガイドアプリケーションによって提供されてもよく、ストリーミングスポーツチャネルサービス、テレビチャネル、ケーブルテレビサービス、インターネットベースのメディアソース、または他のソース等のメディアソースを使用して、配信されてもよい。視聴者がバスケットボールの試合にアクセスした後に、視聴者は、別のメディアアイテムにアクセスすることを所望し得、メディアガイド画面１２０は、視聴するべき別のメディアアイテムを識別するために使用されてもよい。視聴者が、メディアガイド画面１２０からＴｈｅ  Ｓｉｍｐｓｏｎｓを選択する場合、視聴者は、図２に示されるように、Ｔｈｅ  Ｓｉｍｐｓｏｎｓにアクセスしてもよい。視聴者が、短いまたは長い時間周期にわたってバスケットボールの試合を鑑賞したかどうかにかかわらず、メディアガイドアプリケーションは、視聴者がバスケットボールの試合にアクセスすることを止めたことを検出し、視聴者が新しいメディアアイテムにアクセスしている間に、バスケットボールの試合を監視し続けることができる。
【００４１】
図２を参照して、図１のメディアガイド画面１２０からの別のメディアアイテム、例えば、Ｔｈｅ  Ｓｉｍｐｓｏｎｓの選択を受信することに応答して、メディアガイドアプリケーションは、テレビ番組Ｔｈｅ  Ｓｉｍｐｓｏｎｓ  ２１０を含む、新しいメディアアイテムの表示２００を生成してもよい。テレビ番組２１０は、視聴者が以前にアクセスしたバスケットボールの試合についての詳細を含む、進捗バー２３０の同時表示を伴って描写されてもよい。視聴者が、最初に第２のコンテンツにアクセスするとき、バスケットボールの試合には、進捗バー２３０内に含むべきいずれの見落とした注目に値すべきイベントも存在していない場合がある。表示するべき好適なイベントが存在するまで、進捗バー２３０を表示することの遅延が存在し得る、または進捗バー２３０は、コンテンツアイテムのタイトル等のある最小量の情報、本実施例では、プレーするチームおよび現在のスコアとともに表示されることができる。進捗バー２３０は、画面２００の左側の垂直位置に描写されるが、進捗バー２３０は、画面の底部または上部に沿った場所等の画面２００上の任意の好適な場所に位置してもよく、移動される、またはそのサイズおよび形状を視聴者によって改変させてもよい。いくつかの配列では、形状、サイズ、および場所は、進捗バー内のコンテンツに基づいて改変されてもよい。進捗バー２３０は、バスケットボールの試合、すなわち、以前にアクセスされたコンテンツの進捗についてのイベント情報を含んでもよい。
【００４２】
進捗バー２３０内に含まれる情報は、メディアガイドアプリケーションによって監視されているバスケットボールの試合のためのイベント情報から、メディアガイドアプリケーションによって選択されてもよい。メディアガイドアプリケーションは、例えば、ユーザによって以前にアクセスされたバスケットボールの試合のメディアソース、またはＮＢＡのためのスポーツフィード、もしくは他のソースから、スポーツ情報のストリームを監視してもよい。加えて、メディアガイドアプリケーションは、試合についての情報に関して、第三者ソースおよびソーシャルメディアを監視してもよい。したがって、メディアガイドアプリケーションは、視聴者のために好適であり得る、進捗バー２３０内に含むべき種々の情報を選択することができる。例えば、示されるように、進捗バー２３０は、プレーについての情報、例えば、選手２３がフリースロー２３２を行ったこと、選手１１がスリーポイントフィールドゴールを行ったこと、および選手２７がスティールを行ったことを含んでもよい。これらのタイプの情報は、試合のためのスポーツフィールドから取得されてもよい。これらのアイテムのうちのいくつかは、視聴者へのある特定の関連性を有し得るため、進捗バー２３０内に含むように選択されてもよい。例えば、選手２３は、視聴者のお気に入りであってもよい、またはおそらく、選手２３は、視聴者の架空のチームにいる。そのような情報は、視聴者のユーザプロファイルから集められ、進捗バー内に含むべき関連性がある情報を選択するために、メディアガイドアプリケーションによって使用されることができる。加えて、進捗バー２３０は、ハーフタイムショー２３５および選手５が負傷したこと等の他の情報を含んでもよい。そのような情報は、スポーツフィードから、または試合内で起こっているそのようなイベントについてコメントし得るソーシャルメディアもしくは他のソースから、取得されてもよい。
【００４３】
進捗バー２３０内に含まれるアイテムのうちのいずれかが、視聴者によって選択されてもよく、選択されたアイテムに関連するアクションが、メディアガイドアプリケーションによって実施されてもよい。例えば、視聴者は、アイテム２３２を選択し、フリースローを行う選手２３のクリップを視聴する、または選手２３がフリースローショットを行っている時間においてバスケットボールの試合に戻ってもよい。一般に、進捗バー２３０に示されるセグメントアイテムは、視聴者がバスケットボールの試合にアクセスすることを止めた時間に続いて提示されてもよい。加えて、進捗バー２３０内のセグメントアイテムは、時間が経過するにつれて変化してもよく、バスケットボールの試合内で起こる、より多くのイベントが存在する。進捗バー２３０内のセグメントのうちのいくつかは、それらが視聴者に特に関連性があり得ることを視聴者が把握するように、際立った様式で描写されてもよい。例えば、アイテム２３２は、選手２３が視聴者のお気に入りであるため、ハイライトされてもよく、アイテム２３５は、ハーフタイムショーが視聴者のお気に入りの出演者を含むため、ハイライトされてもよい。そのようなお気に入りの情報は、視聴者のユーザプロファイルから取得されてもよい。加えて、セグメントは、例えば、解説者による、またはソーシャルメディア内の扱いに基づいて、興味深いまたは人気があると判定されるため、ハイライトされてもよい。進捗バー２３０内に含まれるセグメントは、以前にアクセスされたメディアについてのメタデータから取得されてもよく、セグメントが選択される場合に、メディアガイドアプリケーションが、選択されたセグメントの視聴者のために表示するべきメディアの時間間隔を判定し得るように、タイムスタンプと関連付けられてもよい。
【００４４】
別の実施例では、図３を参照すると、視聴者は、リアリティ番組Ｓｕｒｖｉｖｏｒを視聴することを所望し得る。画面３００に示されるように、視聴者は、テレビシリーズＳｕｒｖｉｖｏｒ  ３１０のエピソードにアクセスしてもよい。Ｓｕｒｖｉｖｏｒのエピソードは、視聴者のためにストリーミングサービスまたはテレビチャネルによって提供されてもよい。視聴者は、次いで、メディアガイドウィンドウ３２０を選択し、別のメディアコンテンツを選定してもよい。例えば、メディアガイドウィンドウ３２０からのＴｈｅ  Ｓｉｍｐｓｏｎｓの選択は、メディアガイドアプリケーションによって受信されてもよく、応答して、メディアガイドアプリケーションは、図３からのＳｕｒｖｉｖｏｒのエピソードを提示することを止め、図４に示される画像を生成するであろう。
【００４５】
図４は、ユーザがもはや視聴していないＳｕｒｖｉｖｏｒのエピソードについての詳細を含む、進捗バー４３０を伴って提示され得る、別のメディアアイテム、すなわち、Ｔｈｅ  Ｓｉｍｐｓｏｎｓ  ４１０を含む、画面４００を描写する。エピソードについての情報の複数のセグメントを含む、進捗バー４３０が描写されるが、ＳｕｒｖｉｖｏｒからＴｈｅ  Ｓｉｍｐｓｏｎｓに画面表示を変更するために要した時間内に、Ｓｕｒｖｉｖｏｒのエピソードで何も起こらなかったため、そのような情報は、視聴者が最初にＴｈｅ  Ｓｉｍｐｓｏｎｓにアクセスするときに即時に表示されなくてもよい。進捗バー４３０は、視聴者がメディアにアクセスすることを止めた時間から、以前にアクセスされたメディア、すなわち、Ｓｕｒｖｉｖｏｒのエピソードについての情報を含んでもよい。進捗バー４３０内に含まれるセグメントは、以前にアクセスされたメディアについてのメタデータから取得されてもよく、セグメントが選択される場合に、メディアガイドアプリケーションが、選択されたセグメントの視聴者のために表示するべきメディアの時間間隔を判定し得るように、タイムスタンプと関連付けられてもよい。進捗バー４３０に示されるセグメントのうちのいくつかは、それらが視聴者にとって特に興味深いことを示すように、際立った様式でハイライトされてもよい。図４に示されるように、セグメント「Ｂｏｂがボールを落とす」が、ハイライトされて示される。メディアガイドアプリケーションは、以前にアクセスされたメディアコンテンツについてのメタデータを監視し、ユーザが関心があり得るセグメントを識別してもよい。加えて、メディアガイドアプリケーションは、以前にアクセスされたメディアコンテンツのソーシャルメディアおよび第三者の扱いを監視し、人気があるまたは興味深いイベントを識別してもよい。この場合、メディアガイドアプリケーションは、ソーシャルメディア内で投稿またはコメントされた、ボブがボールを落とす、Ｓｕｒｖｉｖｏｒの以前にアクセスされたエピソード内のイベントを検出している場合がある。代替として、メディアガイドアプリケーションは、ユーザのユーザプロファイルから、視聴者が関心があるまたはＢｏｂへの関連を有することを検出している場合がある。これらの可能性のうちのいずれか、またはそれらの組み合わせは、メディアガイドアプリケーションに、視聴者にとって際立った様式でセグメントを提示させてもよい。
【００４６】
いくつかのシナリオでは、特に、初回放送番組またはライブイベントではないメディアコンテンツに関して、進捗バーのために好適であろうメディアコンテンツについてのメタデータが存在し得る。この場合、メディアガイドアプリケーションは、視聴者が、以前にアクセスされたメディアからの興味深い側面に戻ることを選定し得るように、視聴者が新しいメディアコンテンツの画面内で見るために、以前にアクセスされたメディアについての情報を進捗バーに投入してもよい。進捗バー４３０内に含まれるセグメントは、セグメントのユーザによる選択に応答して、メディアガイドアプリケーションによって実施され得る種々のアクションを有してもよい。
【００４７】
例えば、図５を参照すると、表示画面５００が、進捗バー５０５等の進捗バー内のアイテムのうちの１つの選択に応じて生成されてもよい。進捗バー５０５は、以前にアクセスされたメディアアイテムについての１つ以上のセグメントを含んでもよい。図５に示されるように、セグメントは、以前にアクセスされたＳｕｒｖｉｖｏｒのエピソードに関してもよい。セグメントは、視聴者がエピソードにアクセスすることを止めてからＳｕｒｖｉｖｏｒのエピソードで起こったイベントを含んでもよい。例えば、進捗バー５０５は、以前にアクセスされたメディアコンテンツＳｕｒｖｉｖｏｒ  ５１０のタイトル、ならびにエピソードの進行中に起こったイベント、例えば、挑戦５２０、挑戦の準備５３０、Ｂｏｂがボールを落とす５４０、Ｓｕｅがチームを救う５５０、投票５６０、および部族会議の会合５７０を含んでもよい。進捗バー５０５内のアイテムのリスト内に含まれるセグメントのうちのいずれかが、アイテムに関連するアクションにアクセスするように、視聴者によって選択されてもよい。進捗バー５０５内のリスト内に含まれるセグメント、例えば、Ｂｏｂがボールを落とす５４０は、ハイライトされてもよい。加えて、別のアイテム、例えば、部族会議５７０が、異なる理由により視聴者にとって興味深くあり得る、または異なるタイプのコンテンツもしくは異なるタイプのソースからのコンテンツにつながり得る、別のイベントを示すように、異なる様式でハイライトされてもよい。他のタイプのハイライトもまた、セグメントのために利用可能なアクションを区別するために使用されてもよい。
【００４８】
セグメントが、進捗バー５０５から選択されるとき、メディアガイドアプリケーションは、選択を受信し、ユーザが選択されたセグメントに関連して実施するべきアクションを選択するために、メディア相互作用オプションウィンドウ５８０を生成してもよい。示されるように、選択されたセグメントと相互作用するためのいくつかの選択肢は、セグメントまたは以前にアクセスされたコンテンツを録画すること、セグメントと関連付けられる時間において以前にアクセスされたコンテンツを鑑賞することに戻ること、セグメントに関連するリンクにアクセスすること、例えば、ソーシャルメディア上で共有され得るリンクにアクセスすること、セグメントと関連付けられるビデオクリップを鑑賞すること、またはコンテンツの進行における現在の時間において、もしくは視聴者がコンテンツにアクセスすることを止めた時間からのいずれかで、以前にアクセスされたコンテンツの鑑賞を開始することを含んでもよい。他のオプションはまた、以前にアクセスされたコンテンツと相互作用するためのオプションウィンドウ５８０内に含まれてもよい。図５に示されていないが、進捗バー５０５からのアイテムの選択に先立って表示されているメディアコンテンツが、オプションウィンドウ５８０の下に表示され続けてもよい。
【００４９】
視聴者は、進捗バー５０５からセグメントのためのアクションのうちの１つを選択し、例えば、Ｂｏｂがボールを落とすことと関連付けられるＳｕｒｖｉｖｏｒについてのセグメントを視聴してもよい。そのような選択を受信することに応答して、メディアガイドアプリケーションは、図６に示されるもの等の表示を生成してもよい。図６を参照すると、画面６００は、Ｂｏｂがボールを落とすことと関連付けられる時間に、以前にアクセスされたコンテンツのピクチャインピクチャ表示６３０とともに、視聴されていたメディアコンテンツ、すなわち、Ｔｈｅ  Ｓｉｍｐｓｏｎｓ  ６１０を含んでもよい。ピクチャインピクチャ表示６３０は、ビデオクリップ６２５またはＢｏｂがボールを落とすこと６２５のためのセグメントと関連付けられる時間から開始する、以前にアクセスされたコンテンツを含んでもよい。ピクチャインピクチャ表示６３０はまた、選択されたセグメントと関連付けられるタイムスタンプに続く、以前にアクセスされたコンテンツ（Ｓｕｒｖｉｖｏｒのエピソード）についての詳細を含む進捗バーを含んでもよい。例えば、進捗バーは、番組のＳｕｅがチームを救う６３５、投票６４０、および部族会議６４５セグメント等のセグメントを含む。いくつかのシナリオでは、視聴者が以前にＳｕｒｖｉｖｏｒのエピソードにアクセスすることを止めた時間に続いて、進捗バー内に他のセグメントを含むことが好適であり得る。
【００５０】
いくつかの配列では、メディアガイドアプリケーションは、視聴者が、以前にアクセスされたコンテンツのピクチャインピクチャ表示に気を取られる場合には、視聴者がピクチャインピクチャ表示を見始めた時間からメディアコンテンツ内で起こったセグメントのリストが、視聴者に見え得るように、第２または主要メディアコンテンツのための付加的進捗バー６５０を表示するために生成してもよい。例えば、示されるように、進捗バー６５０は、Ｓｕｒｖｉｖｏｒのセグメントのピクチャインピクチャ表示６３０の背後で視聴者によって視聴されている、Ｔｈｅ  Ｓｉｍｐｓｏｎｓのエピソード６１０内で起こるイベントについての情報を含んでもよい。他の図を参照して議論される他の進捗バーと同様に、進捗バー６５０は、メディアコンテンツのためのメタデータ、ならびにメディアコンテンツについての情報の第三者ソースを監視することによって、メディアガイドアプリケーションによって取得されるメディアコンテンツについての詳細を含んでもよい。
【００５１】
視聴者が、Ｓｉｍｐｓｏｎｓのエピソード、または図５で選択されるＳｕｒｖｉｖｏｒのエピソードのセグメント等のメディアコンテンツを鑑賞することを完結した後に、メディアコンテンツの終了は、メディアガイドアプリケーションによって提供される、いくつかの付加的双方向アクションを含んでもよい。例えば、図７に示されるように、Ｔｈｅ  Ｓｉｍｐｓｏｎｓ  ７１０等のメディアコンテンツの背景画像を含む、例証的画面７００が、描写される。以前にアクセスされたコンテンツのピクチャインピクチャ表示７２５もまた、画面７００内に表示されてもよい。Ｔｈｅ  Ｓｉｍｐｓｏｎｓのエピソードが完結したとき、メディアガイドアプリケーションは、Ｔｈｅ  Ｓｉｍｐｓｏｎｓシリーズまたはちょうど鑑賞されたＴｈｅ  Ｓｉｍｐｓｏｎｓの特定のエピソードと関連付けられる、画像７５０を提示してもよい。画像７５０は、視聴者のためにソーシャルメディアに投稿するように、視聴者によって選択されてもよい。例えば、視聴者は、画像７５０を選択し、画像７５０を視聴者のための接続されたＴｗｉｔｔｅｒアカウントに投稿するように画面を提示されてもよい。別の実施例では、メディアガイドアプリケーションは、視聴者がメディアコンテンツについてソーシャルメディアに投稿するための画像７５０の有無にかかわらず、含むために好適なテキストを提示してもよい。画像７５０および／または任意のテキストのソースは、好適な画像に関してメディアデータベースを検索することによって、メディアガイドアプリケーションによって取得されてもよい。いくつかのシナリオでは、メディアコンテンツのための多数の好適な画像が存在し得る。この場合、メディアガイドアプリケーションは、画像のためのメタデータならびに画像の人気に基づいて、ユーザプロファイルに基づいて、またはそれらの組み合わせに基づいて、画像を選択してもよい。
【００５２】
図１−７を参照して説明される実施例は、スポーツイベント、リアリティテレビ、およびテレビシリーズのエピソードのみを伴ったが、視聴者が、以前にアクセスされたコンテンツ内で起こるイベントを知らされ得るように、任意のタイプのメディアが、同一の様式で扱われ、以前にアクセスされたコンテンツのための進捗バーを伴ってメディアガイドアプリケーションによって提示されてもよい。
【００５３】
任意の所与のコンテンツ配信システムでユーザに利用可能なコンテンツの量が、膨大であり得る。その結果、多くのユーザは、ユーザがコンテンツの選択を効率的にナビゲートし、所望し得るコンテンツを容易に識別することを可能にする、インターフェースを通したメディアガイドの形態を所望している。そのようなガイドを提供するアプリケーションは、本明細書では、双方向メディアガイドアプリケーションと称されるが、時として、メディアガイドアプリケーションまたはガイドアプリケーションと称されることもある。
【００５４】
双方向メディアガイドアプリケーションは、ガイドを提供するコンテンツに応じて、種々の形態をとってもよい。１つの典型的なタイプのメディアガイドアプリケーションは、双方向テレビ番組ガイドである。双方向テレビ番組ガイド（時として、電子番組ガイドと称される）は、とりわけ、ユーザが、多くのタイプのコンテンツまたはメディアアセット間をナビゲートし、それを特定することを可能にする、周知のガイドアプリケーションである。双方向メディアガイドアプリケーションは、ユーザが、コンテンツ間をナビゲートし、それを特定および選択することを可能にする、グラフィカルユーザインターフェース画面を生成してもよい。本明細書で参照されるように、用語「メディアアセット」および「コンテンツ」は、テレビ番組、ならびに有料番組、オンデマンド番組（ビデオオンデマンド（ＶＯＤ）システムにおけるような）、インターネットコンテンツ（例えば、ストリーミングコンテンツ、ダウンロード可能コンテンツ、ウェブキャスト等）、ビデオクリップ、オーディオ、コンテンツ情報、写真、回転画像、ドキュメント、再生一覧、ウェブサイト、記事、書籍、電子書籍、ブログ、チャットセッション、ソーシャルメディア、アプリケーション、ゲーム、および／または任意の他のメディアもしくはマルチメディア、ならびに／もしくはそれらの組み合わせ等の電子的に消費可能なユーザアセットを意味すると理解されたい。ガイドアプリケーションはまた、ユーザが、コンテンツ間をナビゲートし、それを特定することを可能にする。本明細書で参照されるように、用語「マルチメディア」は、上記に説明される少なくとも２つの異なるコンテンツ形態、例えば、テキスト、オーディオ、画像、ビデオ、または双方向コンテンツ形態を利用する、コンテンツを意味すると理解されたい。コンテンツは、ユーザ機器デバイスによって、録画、再生、表示、またはアクセスされてもよいが、また、ライブパーフォーマンスの一部であることもできる。
【００５５】
本明細書に議論される実施形態のいずれかを実施するためのメディアガイドアプリケーションおよび／または任意の命令は、コンピュータ可読媒体上にエンコードされてもよい。コンピュータ可読媒体は、データを記憶することが可能な任意の媒体を含む。コンピュータ可読媒体は、限定ではないが、電気もしくは電磁信号の伝搬を含む、一過性であり得る、または限定ではないが、ハードディスク、フロッピーディスク、ＵＳＢドライブ、ＤＶＤ、ＣＤ、メディアカード、レジスタメモリ、プロセッサキャッシュ、ランダムアクセスメモリ（「ＲＡＭ」）等の揮発性および不揮発性コンピュータメモリもしくは記憶デバイスを含む、非一過性であり得る。
【００５６】
インターネット、モバイルコンピューティング、および高速無線ネットワークの出現に伴って、ユーザは、従来は使用しなかったユーザ機器デバイス上でメディアにアクセスするようになっている。本明細書で参照されるように、語句「ユーザ機器デバイス」、「ユーザ機器」、「ユーザデバイス」、「電子デバイス」、「電子機器」、「メディア機器デバイス」、または「メディアデバイス」は、テレビ、スマートＴＶ、セットトップボックス、衛星テレビに対応するための統合型受信機デコーダ（ＩＲＤ）、デジタル記憶デバイス、デジタルメディア受信機（ＤＭＲ）、デジタルメディアアダプタ（ＤＭＡ）、ストリーミングメディアデバイス、ＤＶＤプレーヤ、ＤＶＤレコーダ、接続型ＤＶＤ、ローカルメディアサーバ、ＢＬＵ−ＲＡＹ（登録商標）プレーヤ、ＢＬＵ−ＲＡＹ（登録商標）レコーダ、パーソナルコンピュータ（ＰＣ）、ラップトップコンピュータ、タブレットコンピュータ、ウェブＴＶボックス、パーソナルコンピュータテレビ（ＰＣ／ＴＶ）、ＰＣメディアサーバ、ＰＣメディアセンター、ハンドヘルドコンピュータ、固定電話、携帯情報端末（ＰＤＡ）、携帯電話、ポータブルビデオプレーヤ、ポータブル音楽プレーヤ、ポータブルゲーム機、スマートフォン、または任意の他のテレビ機器、コンピューティング機器、もしくは無線デバイス、および／またはそれらの組み合わせ等の上記に説明されるコンテンツにアクセスするための任意のデバイスを意味すると理解されたい。いくつかの実施形態では、ユーザ機器デバイスは、正面画面および裏面画面、複数の正面画面、または複数の角度付き画面を有してもよい。いくつかの実施形態では、ユーザ機器デバイスは、正面カメラおよび／または裏面カメラを有してもよい。これらのユーザ機器デバイス上で、ユーザは、テレビを通して利用可能な同一のコンテンツ間をナビゲートし、それを特定することが可能であり得る。その結果として、メディアガイドは、これらのデバイス上でも利用可能であり得る。提供されるガイドは、テレビのみを通して利用可能なコンテンツ、他のタイプのユーザ機器デバイスのうちの１つ以上のみを通して利用可能なコンテンツ、もしくはテレビおよび他のタイプのユーザ機器デバイスのうちの１つ以上の両方を通して利用可能なコンテンツのためのものであってもよい。メディアガイドアプリケーションは、ユーザ機器デバイス上で、オンラインアプリケーション（すなわち、ウェブサイト上で提供される）として、または独立型アプリケーションもしくはクライアントとして提供されてもよい。メディアガイドアプリケーションを実装し得る、種々のデバイスおよびプラットフォームは、下記により詳細に説明される。
【００５７】
メディアガイドアプリケーションの機能のうちの１つは、メディアガイドデータをユーザに提供することである。本明細書で参照されるように、語句「メディアガイドデータ」または「ガイドデータ」は、コンテンツに関連する任意のデータもしくはガイドアプリケーションを動作させる際に使用されるデータを意味すると理解されたい。例えば、ガイドデータは、番組情報、ガイドアプリケーション設定、ユーザ選好、ユーザプロファイル情報、メディア一覧、メディア関連情報（例えば、放送時間、放送チャネル、タイトル、内容、評価情報（例えば、ペアレンタルコントロール評価、批評家の評価等）、ジャンルまたはカテゴリ情報、俳優情報、放送会社またはプロバイダのロゴのロゴデータ等）、メディア形式（例えば、標準解像度、高解像度、３Ｄ等）、オンデマンド情報、ブログ、ウェブサイト、およびユーザが所望のコンテンツ選択間をナビゲートし、それを特定するために役立つ、任意の他のタイプのガイドデータを含んでもよい。
【００５８】
図８−９は、メディアガイドデータを提供するために使用され得る、例証的表示画面を示す。図８−９に示される表示画面は、任意の好適なユーザ機器デバイスまたはプラットフォーム上に実装されてもよい。図８−９の表示は、フル画面表示として図示されているが、それらはまた、表示されているコンテンツ上に完全または部分的にオーバーレイされてもよい。ユーザは、表示画面に提供された選択可能なオプション（例えば、メニューオプション、一覧オプション、アイコン、ハイパーリンク等）を選択することによって、またはリモートコントロールもしくは他のユーザ入力インターフェースまたはデバイス上の専用ボタン（例えば、「ガイド」ボタン）を押下することによって、コンテンツ情報にアクセスする要望を示してもよい。ユーザのインジケーションに応答して、メディアガイドアプリケーションは、グリッド内の時間およびチャネル別、時間別、チャネル別、ソース別、コンテンツタイプ別、カテゴリ別（例えば、映画、スポーツ、ニュース、子供向け、または他の番組カテゴリ）、または他の所定、ユーザ定義、もしくは他の編成基準等のいくつかの方法のうちの１つにおいて編成されたメディアガイドデータを表示画面に提供してもよい。
【００５９】
図８は、単一表示内の異なるタイプのコンテンツへのアクセスも可能にする、時間およびチャネル別に配列された番組一覧表示８００の例証的グリッドを示す。表示８００は、以下、すなわち、（１）各チャネル／コンテンツタイプ識別子（列内のセル）が利用可能な異なるチャネルまたはコンテンツのタイプを識別する、チャネル／コンテンツタイプ識別子８０４の列、および（２）各時間識別子（行内のセル）が番組の時間帯を識別する、時間識別子８０６の行を伴うグリッド８０２を含んでもよい。グリッド８０２はまた、番組一覧８０８等の番組一覧のセルも含み、各一覧は、一覧の関連チャネルおよび時間の上に提供される、番組のタイトルを提供する。ユーザ入力デバイスを用いて、ユーザは、ハイライト領域８１０を移動させることによって番組一覧を選択することができる。ハイライト領域８１０によって選択される番組一覧に関する情報が、番組情報領域８１２内に提供されてもよい。領域８１２は、例えば、番組タイトル、番組内容、番組が提供される時間（該当する場合）、番組が放送されるチャネル（該当する場合）、番組の評価、および他の所望の情報を含んでもよい。
【００６０】
線形番組（例えば、所定の時間に複数のユーザ機器デバイスに伝送されるようにスケジュールされ、スケジュールに従って提供されるコンテンツ）にアクセスを提供することに加えて、メディアガイドアプリケーションはまた、非線形番組（例えば、任意の時間においてユーザ機器デバイスにアクセス可能であり、スケジュールに従って提供されない、コンテンツ）へのアクセスも提供する。非線形番組は、オンデマンドコンテンツ（例えば、ＶＯＤ）、インターネットコンテンツ（例えば、ストリーミングメディア、ダウンロード可能メディア等）、ローカルで記憶されたコンテンツ（例えば、上記に説明される任意のユーザ機器デバイスまたは他の記憶デバイス上に記憶されたコンテンツ）、または時間的制約のない他のコンテンツを含む、異なるコンテンツソースからのコンテンツを含んでもよい。オンデマンドコンテンツは、映画または特定のコンテンツプロバイダ（例えば、「Ｔｈｅ  Ｓｏｐｒａｎｏｓ」や「Ｃｕｒｂ  Ｙｏｕｒ  Ｅｎｔｈｕｓｉａｓｍ」を提供するＨＢＯ  Ｏｎ  Ｄｅｍａｎｄ）によって提供される任意の他のコンテンツを含んでもよい。ＨＢＯ  ＯＮ  ＤＥＭＡＮＤは、Ｔｉｍｅ  Ｗａｒｎｅｒ  Ｃｏｍｐａｎｙ  Ｌ．  Ｐ．  ｅｔ  ａｌ．によって所有されるサービスマークであり、ＴＨＥ  ＳＯＰＲＡＮＯＳおよびＣＵＲＢ  ＹＯＵＲ  ＥＮＴＨＵＳＩＡＳＭは、Ｈｏｍｅ  Ｂｏｘ  Ｏｆｆｉｃｅ，  Ｉｎｃ．によって所有される商標である。インターネットコンテンツは、チャットセッションまたはウェブキャスト等のウェブイベント、もしくはインターネットウェブサイトまたは他のインターネットアクセス（例えば、ＦＴＰ）を通して、ストリーミングコンテンツまたはダウンロード可能なコンテンツとしてオンデマンドで利用可能なコンテンツを含んでもよい。
【００６１】
グリッド８０２は、オンデマンド一覧８１４、録画コンテンツ一覧８１６、およびインターネットコンテンツ一覧８１８を含む、非線形番組のメディアガイドデータを提供してもよい。異なるタイプのコンテンツソースからのコンテンツのためのメディアガイドデータを組み合わせる表示は、時として、「混合メディア」表示と称されることもある。表示８００とは異なる、表示され得るメディアガイドデータのタイプの種々の順列は、ユーザ選択またはガイドアプリケーション定義に基づいてもよい（例えば、録画および放送一覧のみの表示、オンデマンドおよび放送一覧のみの表示等）。例証されるように、一覧８１４、８１６、および８１８は、これらの一覧の選択が、それぞれ、オンデマンド一覧、録画一覧、またはインターネット一覧専用の表示へのアクセスを提供し得ることを示すように、グリッド８０２内に表示される時間帯全体に及ぶものとして示されている。いくつかの実施形態では、これらのコンテンツタイプの一覧は、グリッド８０２に直接含まれてもよい。ユーザがナビゲーションアイコン８２０のうちの１つを選択することに応答して、付加的メディアガイドデータが表示されてもよい。（ユーザ入力デバイス上の矢印キーを押下することは、ナビゲーションアイコン８２０を選択することと同様に表示に影響を及ぼし得る。）
【００６２】
表示８００はまた、ビデオ領域８２２およびオプション領域８２６を含んでもよい。ビデオ領域８２２は、ユーザが、ユーザに現在利用可能である、今後利用可能となる、もしくは利用可能であった番組を視聴および／またはプレビューすることを可能にしてもよい。ビデオ領域８２２のコンテンツは、グリッド８０２に表示される一覧のうちの１つに対応する、またはそれから独立し得る。ビデオ領域を含むグリッド表示は、時として、ピクチャインガイド（ＰＩＧ）表示と称されることもある。ＰＩＧ表示およびそれらの機能性は、２００３年５月１３日に発行されたＳａｔｔｅｒｆｉｅｌｄ  ｅｔ  ａｌ．の米国特許第６，５６４，３７８号、および２００１年５月２９日に発行されたＹｕｅｎ  ｅｔ  ａｌ．の米国特許第６，２３９，７９４号（それらの全体として参照することによって本明細書に組み込まれる）でより詳細に説明されている。ＰＩＧ表示は、本明細書に説明される実施形態の他のメディアガイドアプリケーション表示画面に含まれてもよい。
【００６３】
オプション領域８２６は、ユーザが、異なるタイプのコンテンツ、メディアガイドアプリケーション表示、および／またはメディアガイドアプリケーション特徴にアクセスすることを可能にしてもよい。オプション領域８２６は、表示８００（および本明細書に説明される他の表示画面）の一部であってもよい、または画面上のオプションを選択すること、もしくはユーザ入力デバイス上の専用または割当可能ボタンを押下することによって、ユーザによって呼び出されてもよい。オプション領域８２６内の選択可能オプションは、グリッド８０２内の番組一覧に関連する特徴に関してもよい、またはメインメニュー表示から利用可能なオプションを含んでもよい。番組一覧に関連する特徴は、他の放送時間または番組の受信方法の検索、番組の録画、番組の連続録画の有効化、番組および／またはチャネルをお気に入りとして設定、番組の購入、もしくは他の特徴を含んでもよい。メインメニュー表示から利用可能なオプションは、検索オプション、ＶＯＤオプション、ペアレンタルコントロールオプション、インターネットオプション、クラウドベースのオプション、デバイス同期オプション、第２の画面デバイスオプション、種々のタイプのメディアガイドデータ表示にアクセスするオプション、プレミアムサービスをサブスクライブするオプション、ユーザのプロファイルを編集するオプション、ブラウザオーバーレイにアクセスするオプション、または他のオプションを含んでもよい。
【００６４】
メディアガイドアプリケーションは、ユーザの選好に基づいて個人化されてもよい。個人化されたメディアガイドアプリケーションは、ユーザが、メディアガイドアプリケーションを用いて個人化された「体験」を生成するように、表示および特徴をカスタマイズすることを可能にする。この個人化された体験は、ユーザがこれらのカスタマイズを入力することを可能にすることによって、および／または種々のユーザ選好を判定するようにメディアガイドアプリケーションがユーザアクティビティを監視することによって、生成されてもよい。ユーザは、ログインすることによって、または別様にガイドアプリケーションに対して自らを識別することによって、それらの個人化されたガイドアプリケーションにアクセスしてもよい。メディアガイドアプリケーションのカスタマイズは、ユーザプロファイルに従って作成されてもよい。カスタマイズは、提示方式（例えば、表示の色方式、テキストのフォントサイズ等）、表示されるコンテンツ一覧の側面（例えば、ＨＤＴＶ番組のみまたは３Ｄ番組のみ、お気に入りチャネル選択に基づいたユーザ指定の放送チャネル、チャネルの表示の並び替え、推奨コンテンツ等）、所望の録画特徴（例えば、特定のユーザに対する録画または連続録画、録画品質等）、ペアレンタルコントロール設定、インターネットコンテンツのカスタマイズされた提示（例えば、ソーシャルメディアコンテンツ、電子メール、電子的に配信された記事等の提示）、および他の所望のカスタマイズを変更させることを含んでもよい。
【００６５】
メディアガイドアプリケーションは、ユーザが、ユーザプロファイル情報を提供することを可能にしてもよい、またはユーザプロファイル情報を自動的にコンパイルしてもよい。メディアガイドアプリケーションは、例えば、ユーザがアクセスするコンテンツ、および／またはユーザがガイドアプリケーションと行い得る他の相互作用を監視してもよい。加えて、メディアガイドアプリケーションは、特定のユーザに関連する他のユーザプロファイルの全体または一部を取得し（例えば、ｗｗｗ．Ｔｉｖｏ．ｃｏｍ等のユーザがアクセスするインターネット上の他のウェブサイトから、ユーザがアクセスする他のメディアガイドアプリケーションから、ユーザがアクセスする他の双方向アプリケーションから、ユーザの別のユーザ機器デバイスから等）、および／またはメディアガイドアプリケーションがアクセスし得る他のソースから、ユーザについての情報を取得してもよい。結果として、ユーザは、ユーザの異なるユーザ機器デバイスにわたって、統一されたガイドアプリケーション体験を提供されることができる。本タイプのユーザ体験は、図１１に関連して下記により詳細に説明される。付加的な個人化されたメディアガイドアプリケーション特徴は、２００５年７月１１日に出願されたＥｌｌｉｓ  ｅｔ  ａｌ．の米国特許出願公開第２００５／０２５１８２７号、２００７年１月１６日に発行されたＢｏｙｅｒ  ｅｔ  ａｌ．の米国特許第７，１６５，０９８号、および２００２年２月２１日に出願されたＥｌｌｉｓ  ｅｔ  ａｌ．の米国特許出願公開第２００２／０１７４４３０号（それらの全体として参照することによって本明細書に組み込まれる）でより詳細に説明されている。
【００６６】
メディアガイドを提供するための別の表示配列が、図９に示されている。ビデオモザイク表示９００は、コンテンツのタイプ、ジャンル、および／または他の編成基準に基づいて編成されたコンテンツ情報のための選択可能オプション９０２を含む。表示９００では、テレビ一覧オプション９０４が、選択され、したがって、一覧９０６、９０８、９１０、および９１２を放送番組一覧として提供する。表示９００では、一覧は、カバーアート、コンテンツからの静止画像、ビデオクリップのプレビュー、コンテンツからのライブビデオ、または一覧中のメディアガイドデータによって記述されているコンテンツをユーザに示す他のタイプのコンテンツを含む、グラフィック画像を提供してもよい。グラフィック一覧はまた、それぞれ、一覧と関連付けられるコンテンツに関するさらなる情報を提供するように、テキストを伴ってもよい。例えば、一覧９０８は、メディア部分９１４およびテキスト部分９１６を含む、１つを上回る部分を含んでもよい。メディア部分９１４および／またはテキスト部分９１６は、コンテンツをフル画面で視聴するように、またはメディア部分９１４に表示されるコンテンツに関連する情報を閲覧するように（例えば、ビデオが表示されるチャネルの一覧を閲覧するように）、選択可能であり得る。
【００６７】
表示９００内の一覧は、異なるサイズである（すなわち、一覧９０６は、一覧９０８、９１０、および９１２より大きい）が、所望に応じて、全ての一覧が同一のサイズであってもよい。一覧は、コンテンツプロバイダの所望に応じて、またはユーザ選好に基づいて、ユーザの関心の程度を示すように、またはあるコンテンツを強調するように、異なるサイズである、またはグラフィック的に強調されてもよい。コンテンツ一覧をグラフィック的に強調するための種々のシステムおよび方法は、例えば、２００９年１１月１２日に出願されたＹａｔｅｓの米国特許出願公開第２０１０／０１５３８８５号（その全体として参照することによって本明細書に組み込まれる）に議論されている。
【００６８】
ユーザは、そのユーザ機器デバイスのうちの１つ以上から、コンテンツおよびメディアガイドアプリケーション（ならびに上記および下記に説明されるその表示画面）にアクセスしてもよい。図１０は、例証的ユーザ機器デバイス１０００の汎用実施形態を示す。ユーザ機器デバイスのより具体的な実装は、図１１に関連して下記に議論される。ユーザ機器デバイス１０００は、入出力（以下「Ｉ／Ｏ」）パス１００２を介して、コンテンツおよびデータを受信してもよい。Ｉ／Ｏパス１００２は、処理回路１００６および記憶装置１００８を含む制御回路１００４に、コンテンツ（例えば、放送番組、オンデマンド番組、インターネットコンテンツ、ローカルエリアネットワーク（ＬＡＮ）または広域ネットワーク（ＷＡＮ）を経由して利用可能なコンテンツ、および／または他のコンテンツ）およびデータを提供してもよい。制御回路１００４は、Ｉ／Ｏパス１００２を使用して、コマンド、要求、および他の好適なデータを送受信するために使用されてもよい。Ｉ／Ｏパス１００２は、制御回路１００４（具体的には、処理回路１００６）を１つ以上の通信パス（下記に説明される）に接続してもよい。Ｉ／Ｏ機能は、これらの通信パスのうちの１つ以上によって提供されてもよいが、図面が複雑になり過ぎることを回避するため、図１０では単一パスとして示されている。
【００６９】
制御回路１００４は、処理回路１００６等の任意の好適な処理回路に基づいてもよい。本明細書で参照されるように、処理回路とは、１つ以上のマイクロプロセッサ、マイクロコントローラ、デジタル信号プロセッサ、プログラマブル論理デバイス、フィールドプログラマブルゲートアレイ（ＦＰＧＡ）、特定用途向け集積回路（ＡＳＩＣ）等に基づく回路を意味すると理解され、マルチコアプロセッサ（例えば、デュアルコア、クアドコア、ヘクサコア、または任意の好適な数のコア）またはスーパーコンピュータを含んでもよい。いくつかの実施形態では、処理回路は、複数の別個のプロセッサまたは処理ユニット、例えば、複数の同一のタイプの処理ユニット（例えば、２つのＩｎｔｅｌ  Ｃｏｒｅ  ｉ７プロセッサ）または複数の異なるプロセッサ（例えば、Ｉｎｔｅｌ  Ｃｏｒｅ  ｉ５プロセッサおよびＩｎｔｅｌ  Ｃｏｒｅ  ｉ７プロセッサ）にわたって分散されてもよい。いくつかの実施形態では、制御回路１００４は、メモリ（すなわち、記憶装置１００８）に記憶されたメディアガイドアプリケーションに対する命令を実行する。具体的には、制御回路１００４は、メディアガイドアプリケーションによって、上記および下記に議論される機能を果たすように命令されてもよい。例えば、メディアガイドアプリケーションは、制御回路１００４に、メディアガイド表示を生成するための命令を提供してもよい。いくつかの実装では、制御回路１００４によって実施される任意のアクションは、メディアガイドアプリケーションから受信される命令に基づいてもよい。
【００７０】
クライアントサーバベースの実施形態では、制御回路１００４は、ガイドアプリケーションサーバまたは他のネットワークもしくはサーバと通信するための好適な通信回路を含んでもよい。上記に述べられる機能性を実施するための命令は、ガイドアプリケーションサーバ上に記憶されてもよい。通信回路は、ケーブルモデム、総合デジタル通信網（ＩＳＤＮ）モデム、デジタルサブスクライバ回線（ＤＳＬ）モデム、電話モデム、イーサネット（登録商標）カード、または他の機器との通信用の無線モデム、もしくは任意の他の好適な通信回路を含んでもよい。そのような通信は、インターネットまたは任意の他の好適な通信ネットワークもしくはパスを伴ってもよい（図１１に関連してより詳細に説明される）。加えて、通信回路は、ユーザ機器デバイスのピアツーピア通信、または相互から遠隔の場所にあるユーザ機器デバイスの通信を可能にする回路を含んでもよい（下記により詳細に説明される）。
【００７１】
メモリは、制御回路１００４の一部である、記憶装置１００８として提供される、電子記憶デバイスであってもよい。本明細書で参照されるように、語句「電子記憶デバイス」または「記憶デバイス」とは、ランダムアクセスメモリ、読取専用メモリ、ハードドライブ、光学ドライブ、デジタルビデオディスク（ＤＶＤ）レコーダ、コンパクトディスク（ＣＤ）レコーダ、ＢＬＵ−ＲＡＹ（登録商標）ディスク（ＢＤ）レコーダ、ＢＬＵ−ＲＡＹ（登録商標）  ３Ｄディスクレコーダ、デジタルビデオレコーダ（ＤＶＲ、または時として、パーソナルビデオレコーダもしくはＰＶＲと呼ばれる）、ソリッドステートデバイス、量子記憶デバイス、ゲームコンソール、ゲームメディア、または任意の他の好適な固定もしくはリムーバブル記憶デバイス、および／またはそれらの任意の組み合わせ等の電子データ、コンピュータソフトウェア、もしくはファームウェアを記憶するための任意のデバイスを意味すると理解されたい。記憶装置１００８は、本明細書に説明される種々のタイプのコンテンツ、ならびに上記に説明されるメディアガイドデータを記憶するために使用されてもよい。不揮発性メモリもまた、（例えば、ブートアップルーチンおよび他の命令を起動するために）使用されてもよい。図１１に関連して説明されるクラウドベースの記憶装置が、記憶装置１００８を補完するために使用される、または記憶装置１００８の代わりに使用されてもよい。
【００７２】
制御回路１００４は、１つ以上のアナログチューナ、１つ以上のＭＰＥＧ−２デコーダ、もしくは他のデジタルデコード回路、高解像度チューナ、または任意の他の好適な同調もしくはビデオ回路、またはそのような回路の組み合わせ等のビデオ生成回路および同調回路を含んでもよい。（例えば、記憶するために、無線、アナログ、またはデジタル信号をＭＰＥＧ信号に変換するための）エンコード回路もまた、提供されてもよい。制御回路１００４はまた、コンテンツをユーザ機器１０００の好ましい出力形式に上方変換および下方変換するためのスケーリング回路を含んでもよい。回路１００４はまた、デジタル信号とアナログ信号との間で変換するためのデジタル／アナログ変換回路ならびにアナログ／デジタル変換回路を含んでもよい。同調およびエンコード回路は、コンテンツを受信して表示する、再生する、または録画するために、ユーザ機器デバイスによって使用されてもよい。同調およびエンコード回路はまた、ガイドデータを受信するために使用されてもよい。例えば、同調、ビデオ生成、エンコード、デコード、暗号化、解読、スケーリング、およびアナログ／デジタル回路を含む、本明細書に説明される回路は、１つ以上の汎用または特殊プロセッサ上で起動するソフトウェアを使用して実装されてもよい。複数のチューナが、同時同調機能（例えば、視聴および録画機能、ピクチャインピクチャ（ＰＩＰ）機能、多重チューナ録画機能等）に対処するように提供されてもよい。記憶装置１００８が、ユーザ機器１０００とは別のデバイスとして提供される場合、同調およびエンコード回路（複数のチューナを含む）は、記憶装置１００８と関連付けられてもよい。
【００７３】
ユーザは、ユーザ入力インターフェース１０１０を使用して、命令を制御回路１００４に送信してもよい。ユーザ入力インターフェース１０１０は、リモートコントロール、マウス、トラックボール、キーパッド、キーボード、タッチスクリーン、タッチパッド、スタイラス入力、ジョイスティック、音声認識インターフェース、または他のユーザ入力インターフェース等の任意の好適なユーザインターフェースであってもよい。ディスプレイ１０１２は、独立型デバイスとして提供される、またはユーザ機器デバイス１０００の他の要素と統合されてもよい。例えば、ディスプレイ１０１２は、タッチスクリーンまたはタッチセンサ式ディスプレイであってもよい。そのような状況では、ユーザ入力インターフェース１０１０は、ディスプレイ１０１２と統合される、または組み合わせられてもよい。ディスプレイ１０１２は、モニタ、テレビ、モバイルデバイス用液晶ディスプレイ（ＬＣＤ）、非晶質シリコンディスプレイ、低温ポリシリコンディスプレイ、電子インクディスプレイ、電気泳動ディスプレイ、アクティブマトリクスディスプレイ、エレクトロウェッティングディスプレイ、電気流体ディスプレイ、ブラウン管ディスプレイ、発光ダイオードディスプレイ、エレクトロルミネセントディスプレイ、プラズマディスプレイパネル、高性能アドレッシングディスプレイ、薄膜トランジスタディスプレイ、有機発光ダイオードディスプレイ、表面伝導型電子放出素子ディスプレイ（ＳＥＤ）、レーザテレビ、カーボンナノチューブ、量子ドットディスプレイ、干渉変調器ディスプレイ、もしくは視覚的画像を表示するための任意の他の好適な機器のうちの１つ以上であってもよい。いくつかの実施形態では、ディスプレイ１０１２は、ＨＤＴＶ対応型であり得る。いくつかの実施形態では、ディスプレイ１０１２は、３Ｄディスプレイであってもよく、双方向メディアガイドアプリケーションおよび任意の好適なコンテンツは、３Ｄで表示されてもよい。ビデオカードまたはグラフィックカードは、ディスプレイ１０１２への出力を生成してもよい。ビデオカードは、３Ｄシーンおよび２Ｄグラフィックのレンダリング加速、ＭＰＥＧ−２／ＭＰＥＧ−４デコード、ＴＶ出力、または複数のモニタを接続する能力等の種々の機能を提供し得る。ビデオカードは、制御回路１００４に関連する上記に説明される任意の処理回路であってもよい。ビデオカードは、制御回路１００４と統合されてもよい。スピーカ１０１４は、ユーザ機器デバイス１０００の他の要素と統合されたものとして提供されてもよい、または独立型ユニットであってもよい。ディスプレイ１０１２上に表示されるビデオおよび他のコンテンツのオーディオコンポーネントは、スピーカ１０１４を通して再生されてもよい。いくつかの実施形態では、オーディオは、スピーカ１０１４を介してオーディオを処理および出力する、受信機（図示せず）に配布されてもよい。
【００７４】
ガイドアプリケーションは、任意の好適なアーキテクチャを使用して実装されてもよい。例えば、これは、ユーザ機器デバイス１０００上で完全に実装される、独立型アプリケーションであってもよい。そのようなアプローチでは、アプリケーションの命令は、ローカルで（例えば、記憶装置１００８内に）記憶され、アプリケーションによって使用するためのデータは、周期的にダウンロードされる（例えば、帯域外フィードから、インターネットリソースから、または別の好適なアプローチを使用して）。制御回路１００４は、記憶装置１００８からアプリケーションの命令を読み出し、本明細書に議論される表示のうちのいずれかを生成するための命令を処理してもよい。処理された命令に基づいて、制御回路１００４は、入力が入力インターフェース１０１０から受信されるときに実施するアクションを判定してもよい。例えば、表示上のカーソルの上／下への移動は、入力インターフェース１０１０が上／下ボタンが選択されたことを示すとき、処理された命令によって示されてもよい。
【００７５】
いくつかの実施形態では、メディアガイドアプリケーションは、クライアントサーバベースのアプリケーションである。ユーザ機器デバイス１０００上に実装される、シックまたはシンクライアントによって使用するためのデータは、ユーザ機器デバイス１０００の遠隔にあるサーバに要求を発行することによって、オンデマンドで読み出される。クライアントサーバベースのガイドアプリケーションの一実施例では、制御回路１００４は、遠隔サーバによって提供されるウェブページを解釈する、ウェブブラウザを起動する。例えば、遠隔サーバは、記憶デバイス内にアプリケーションのための命令を記憶してもよい。遠隔サーバは、回路（例えば、制御回路１００４）を使用して、記憶された命令を処理し、上記および下記に議論される表示を生成してもよい。クライアントデバイスは、遠隔サーバによって生成される表示を受信してもよく、表示のコンテンツを機器デバイス１０００上にローカルで表示してもよい。このように、命令の処理が、サーバによって遠隔で実施される一方、結果として生じる表示は、機器デバイス１０００上にローカルで提供される。機器デバイス１０００は、入力インターフェース１０１０を介して、ユーザからの入力を受信し、対応する表示を処理および生成するために、それらの入力を遠隔サーバに伝送してもよい。例えば、機器デバイス１０００は、上／下ボタンが入力インターフェース１０１０を介して選択されたことを示す、通信を遠隔サーバに伝送してもよい。遠隔サーバは、その入力に従って命令を処理し、入力に対応するアプリケーションの表示を生成してもよい（例えば、カーソルを上／下に移動させる表示）。生成された表示は、次いで、ユーザへの提示のために、機器デバイス１０００に伝送される。
【００７６】
いくつかの実施形態では、メディアガイドアプリケーションは、インタープリタまたは仮想マシン（制御回路１００４によって起動される）によって、ダウンロードされ、解釈または別様に起動される。いくつかの実施形態では、ガイドアプリケーションは、ＥＴＶバイナリ交換形式（ＥＴＶ  Ｂｉｎａｒｙ  Ｉｎｔｅｒｃｈａｎｇｅ  Ｆｏｒｍａｔ／ＥＢＩＦ）でエンコードされ、好適なフィードの一部として制御回路１００４によって受信され、制御回路１００４上で起動するユーザエージェントによって解釈されてもよい。例えば、ガイドアプリケーションは、ＥＢＩＦアプリケーションであってもよい。いくつかの実施形態では、ガイドアプリケーションは、制御回路１００４によって実行されるローカル仮想マシンまたは他の好適なミドルウェアによって受信および起動される、一連のＪＡＶＡ（登録商標）ベースのファイルによって定義されてもよい。そのような実施形態のうちのいくつか（例えば、ＭＰＥＧ−２または他のデジタルメディアエンコードスキームを採用するもの）では、ガイドアプリケーションは、例えば、番組のＭＰＥＧオーディオおよびビデオパケットを用いたＭＰＥＧ−２オブジェクトカルーセルにおいてエンコードおよび伝送されてもよい。
【００７７】
図１０のユーザ機器デバイス１０００は、ユーザテレビ機器１１０２、ユーザコンピュータ機器１１０４、無線ユーザ通信デバイス１１０６、または非ポータブルゲーム機等のコンテンツにアクセスするために好適な任意の他のタイプのユーザ機器として、図１１のシステム１１００に実装されることができる。簡単にするために、これらのデバイスは、本明細書では総称して、ユーザ機器またはユーザ機器デバイスと称されてもよく、上記に説明されるユーザ機器デバイスに実質的に類似し得る。メディアガイドアプリケーションが実装され得る、ユーザ機器デバイスは、独立型デバイスとして機能してもよい、またはデバイスのネットワークの一部であってもよい。デバイスの種々のネットワーク構成が実装されてもよく、下記により詳細に議論される。
【００７８】
図１０に関連して上記に説明されるシステム特徴のうちの少なくともいくつかを利用する、ユーザ機器デバイスは、単に、ユーザテレビ機器１１０２、ユーザコンピュータ機器１１０４、または無線ユーザ通信デバイス１１０６として分類されなくてもよい。例えば、ユーザテレビ機器１１０２は、いくつかのユーザコンピュータ機器１１０４のように、インターネットコンテンツへのアクセスを可能にするインターネット対応型であり得る一方、ユーザコンピュータ機器１１０４は、あるテレビ機器１１０２のように、テレビ番組へのアクセスを可能にするチューナを含んでもよい。メディアガイドアプリケーションはまた、種々の異なるタイプのユーザ機器上で同一レイアウトを有してもよい、またはユーザ機器の表示能力に合わせられてもよい。例えば、ユーザコンピュータ機器１１０４上では、ガイドアプリケーションは、ウェブブラウザによってアクセスされるウェブサイトとして提供されてもよい。別の実施例では、ガイドアプリケーションは、無線ユーザ通信デバイス１１０６用に縮小されてもよい。
【００７９】
システム１１００では、典型的には、各タイプのユーザ機器デバイスが１つを上回って存在するが、図面が複雑になり過ぎることを回避するように、それぞれ１つだけが図１１に示されている。加えて、各ユーザは、１つを上回るタイプのユーザ機器デバイスと、また、各タイプのユーザ機器デバイスのうちの１つを上回るものとを利用してもよい。
【００８０】
いくつかの実施形態では、ユーザ機器デバイス（例えば、ユーザテレビ機器１１０２、ユーザコンピュータ機器１１０４、無線ユーザ通信デバイス１１０６）は、「第２の画面デバイス」と称されてもよい。例えば、第２の画面デバイスは、第１のユーザ機器デバイス上に提示されるコンテンツを補完してもよい。第２の画面デバイス上に提示されるコンテンツは、第１のデバイス上に提示されるコンテンツを補完する、任意の好適なコンテンツであってもよい。いくつかの実施形態では、第２の画面デバイスは、第１のデバイスの設定および表示選好を調節するためのインターフェースを提供する。いくつかの実施形態では、第２の画面デバイスは、他の第２の画面デバイスと相互作用する、またはソーシャルネットワークと相互作用するために構成される。第２の画面デバイスは、第１のデバイスと同一の部屋内に、第１のデバイスと異なる部屋であるが、同一の家または建物内に、もしくは第１のデバイスと異なる建物内に位置することができる。
【００８１】
ユーザはまた、家庭内デバイスおよび遠隔デバイスにわたって一貫したメディアガイドアプリケーション設定を維持するように、種々の設定を設定してもよい。設定は、本明細書に説明されるもの、ならびにお気に入りのチャネルおよび番組、番組を推奨するためにガイドアプリケーションが利用する番組選好、表示選好、および他の望ましいガイド設定を含む。例えば、ユーザが、そのオフィスのパーソナルコンピュータ上で、例えば、ウェブサイトｗｗｗ．Ｔｉｖｏ．ｃｏｍの上で、チャネルをお気に入りとして設定した場合、同一のチャネルが、ユーザの家庭内デバイス（例えば、ユーザテレビ機器およびユーザコンピュータ機器）上で、ならびに所望に応じて、ユーザのモバイルデバイス上でお気に入りとして表示されるであろう。したがって、同一または異なるタイプのユーザ機器デバイスであるかどうかにかかわらず、１つのユーザ機器デバイス上で行われる変更は、別のユーザ機器デバイス上のガイド体験を変更することができる。加えて、行われる変更は、ユーザによって入力される設定、ならびにガイドアプリケーションによって監視されるユーザアクティビティに基づいてもよい。
【００８２】
ユーザ機器デバイスは、通信ネットワーク１１１４に結合されてもよい。すなわち、ユーザテレビ機器１１０２、ユーザコンピュータ機器１１０４、および無線ユーザ通信デバイス１１０６は、それぞれ、通信パス１１０８、１１１０、および１１１２を介して、通信ネットワーク１１１４に結合される。通信ネットワーク１１１４は、インターネット、携帯電話ネットワーク、モバイルボイスまたはデータネットワーク（例えば、４ＧまたはＬＴＥネットワーク）、ケーブルネットワーク、公衆交換電話ネットワーク、または他のタイプの通信ネットワーク、もしくは通信ネットワークの組み合わせを含む、１つ以上のネットワークであってもよい。パス１１０８、１１１０、および１１１２は、別個または一緒に、衛星パス、光ファイバパス、ケーブルパス、インターネット通信をサポートするパス（例えば、ＩＰＴＶ）、フリースペース接続（例えば、放送または他の無線信号用）、もしくは任意の他の好適な有線または無線通信パス、もしくはそのようなパスの組み合わせ等の１つ以上の通信パスを含んでもよい。パス１１１２は、図１１に示される例示的実施形態では、無線パスであることを示すように破線で描かれ、パス１１０８および１１１０は、有線パスであることを示すように実線として描かれている（しかし、これらのパスは、所望に応じて、無線パスであってもよい）。ユーザ機器デバイスとの通信は、これらの通信パスのうちの１つ以上によって提供されてもよいが、図１１では、図面が複雑になり過ぎることを回避するように、単一パスとして示されている。
【００８３】
通信パスは、ユーザ機器デバイスの間には描かれていないが、これらのデバイスは、パス１１０８、１１１０、および１１１２に関連して上記に説明されるもの、ならびにＵＳＢケーブル、ＩＥＥＥ  １３９４ケーブル、無線パス（例えば、Ｂｌｕｅｔｏｏｔｈ（登録商標）、赤外線、ＩＥＥＥ  ８０２−１１ｘ等）等の他の短距離ポイントツーポイント通信パス、もしくは有線または無線パスを介した他の短距離通信等の通信パスを介して、相互に直接通信してもよい。ＢＬＵＥＴＯＯＴＨ（登録商標）は、Ｂｌｕｅｔｏｏｔｈ  ＳＩＧ，  ＩＮＣ．によって所有される認証マークである。ユーザ機器デバイスはまた、通信ネットワーク１１１４を介した間接パスを通して、相互に直接通信してもよい。
【００８４】
システム１１００は、それぞれ、通信パス１１２０および１１２２を介して、通信ネットワーク１１１４に結合される、コンテンツソース１１１６およびメディアガイドデータソース１１１８を含む。パス１１２０および１１２２は、パス１１０８、１１１０、および１１１２に関連して上記に説明される通信パスのうちのいずれかを含んでもよい。コンテンツソース１１１６およびメディアガイドデータソース１１１８との通信は、１つ以上の通信パスを介して交信されてもよいが、図１１では、図面が複雑になり過ぎることを回避するように、単一パスとして示される。加えて、コンテンツソース１１１６およびメディアガイドデータソース１１１８のそれぞれが１つを上回って存在し得るが、図１１では、図面が複雑になり過ぎることを回避するように、それぞれ１つだけが示されている。（異なるタイプのこれらのソースのそれぞれが下記に議論される。）所望に応じて、コンテンツソース１１１６およびメディアガイドデータソース１１１８は、１つのソースデバイスとして統合されてもよい。ソース１１１６および１１１８と、ユーザ機器デバイス１１０２、１１０４、および１１０６との間の通信は、通信ネットワーク１１１４を通したものとして示されるが、いくつかの実施形態では、ソース１１１６および１１１８は、パス１１０８、１１１０、および１１１２に関連して上記に説明されるもの等の通信パス（図示せず）を介して、ユーザ機器デバイス１１０２、１１０４、および１１０６と直接通信してもよい。
【００８５】
コンテンツソース１１１６は、テレビ配信施設、ケーブルシステムヘッドエンド、衛星配信施設、番組ソース（例えば、ＮＢＣ、ＡＢＣ、ＨＢＯ等のテレビ放送会社）、中間配信施設および／またはサーバ、インターネットプロバイダ、オンデマンドメディアサーバ、および他のコンテンツプロバイダを含む、１つ以上のタイプのコンテンツ配信機器を含んでもよい。ＮＢＣは、Ｎａｔｉｏｎａｌ  Ｂｒｏａｄｃａｓｔｉｎｇ  Ｃｏｍｐａｎｙ，  Ｉｎｃ．によって所有される商標であり、ＡＢＣは、Ａｍｅｒｉｃａｎ  Ｂｒｏａｄｃａｓｔｉｎｇ  Ｃｏｍｐａｎｙ，  ＩＮＣ．によって所有される商標であり、ＨＢＯは、Ｈｏｍｅ  Ｂｏｘ  Ｏｆｆｉｃｅ，  Ｉｎｃ．によって所有される商標である。コンテンツソース１１１６は、コンテンツの発信元であってもよい（例えば、テレビ放送会社、ウェブキャストプロバイダ等）、またはコンテンツの発信元でなくてもよい（例えば、オンデマンドコンテンツプロバイダ、ダウンロード用放送番組のコンテンツのインターネットプロバイダ等）。コンテンツソース１１１６は、ケーブルソース、衛星プロバイダ、オンデマンドプロバイダ、インターネットプロバイダ、オーバーザトップコンテンツプロバイダ、または他のコンテンツのプロバイダを含んでもよい。コンテンツソース１１１６はまた、ユーザ機器デバイスのうちのいずれかから遠隔の場所にある、異なるタイプのコンテンツ（ユーザによって選択されるビデオコンテンツを含む）を記憶するために使用される、遠隔メディアサーバを含んでもよい。コンテンツの遠隔記憶のため、および遠隔に記憶されたコンテンツをユーザ機器に提供するためのシステムならびに方法は、２０１０年７月２０日に発行されたＥｌｌｉｓ  ｅｔ  ａｌ．の米国特許第７，７６１，８９２号（その全体として参照することによって本明細書に組み込まれる）に関連して、より詳細に議論されている。
【００８６】
メディアガイドデータソース１１１８は、上記に説明されるメディアガイドデータ等のメディアガイドデータを提供してもよい。メディアガイドデータは、任意の好適なアプローチを使用して、ユーザ機器デバイスに提供されてもよい。いくつかの実施形態では、ガイドアプリケーションは、データフィード（例えば、継続フィードまたはトリクルフィード）を介して、番組ガイドデータを受信する、独立型双方向テレビ番組ガイドであってもよい。番組スケジュールデータおよび他のガイドデータは、テレビチャネルのサイドバンド上で、帯域内デジタル信号を使用して、帯域外デジタル信号を使用して、または任意の他の好適なデータ伝送技術によって、ユーザ機器に提供されてもよい。番組スケジュールデータおよび他のメディアガイドデータは、複数のアナログまたはデジタルテレビチャネル上でユーザ機器に提供されてもよい。
【００８７】
いくつかの実施形態では、メディアガイドデータソース１１１８からのガイドデータは、クライアントサーバアプローチを使用して、ユーザの機器に提供されてもよい。例えば、ユーザ機器デバイスは、メディアガイドデータをサーバからプルしてもよい、またはサーバは、メディアガイドデータをユーザ機器デバイスにプッシュしてもよい。いくつかの実施形態では、ユーザの機器上に常駐するガイドアプリケーションクライアントは、必要に応じて、例えば、ガイドデータが古くなっているとき、またはユーザ機器デバイスが、データを受信する要求をユーザから受信するとき、ソース１１１８とセッションを開始し、ガイドデータを取得してもよい。メディアガイドは、任意の好適な頻度で（例えば、継続的に、毎日、ユーザ規定期間で、システム規定期間で、ユーザ機器からの要求に応答して等）ユーザ機器に提供されてもよい。メディアガイドデータソース１１１８は、ユーザ機器デバイス１１０２、１１０４、および１１０６に、メディアガイドアプリケーション自体、またはメディアガイドアプリケーションのソフトウェア更新を提供してもよい。
【００８８】
いくつかの実施形態では、メディアガイドデータは、視聴者データを含んでもよい。例えば、視聴者データは、現在および／または履歴ユーザアクティビティ情報（例えば、ユーザが典型的に鑑賞するコンテンツ、ユーザがコンテンツを鑑賞する時刻、ユーザがソーシャルネットワークと相互作用するかどうか、ユーザがソーシャルネットワークと相互作用し、情報を投稿する時間、ユーザが典型的に鑑賞するコンテンツのタイプ（例えば、有料ＴＶまたは無料ＴＶ）、気分、脳の活動情報等）を含んでもよい。メディアガイドデータはまた、サブスクリプションデータを含んでもよい。例えば、サブスクリプションデータは、所与のユーザがサブスクライブするソースもしくはサービスおよび／または所与のユーザが以前にサブスクライブしていたが、後にアクセスを打ち切ったソースもしくはサービス（例えば、ユーザがプレミアムチャネルをサブスクライブしているかどうか、ユーザがプレミアムレベルのサービスを追加したかどうか、ユーザがインターネット速度を加速させたかどうか）を識別してもよい。いくつかの実施形態では、視聴者データおよび／またはサブスクリプションデータは、１年を上回る周期の間の所与のユーザのパターンを識別してもよい。メディアガイドデータは、所与のユーザがサービス／ソースへのアクセスを打ち切るであろう可能性を示すスコアを生成するために使用される、モデル（例えば、残存者モデル）を含んでもよい。例えば、メディアガイドアプリケーションは、所与のユーザが特定のサービスまたはソースへのアクセスを打ち切るであろうかどうかの可能性を示す、値またはスコアを生成するためのモデルを使用して、サブスクリプションデータとともに視聴者データを処理してもよい。特に、より高いスコアは、ユーザが特定のサービスまたはソースへのアクセスを打ち切るであろう、より高いレベルの信頼性を示し得る。スコアに基づいて、メディアガイドアプリケーションは、ユーザがアクセスを打ち切る可能性が高いであろうものとしてスコアによって示される特定のサービスまたはソースをユーザが維持するように勧誘する宣伝を生成してもよい。
【００８９】
メディアガイドアプリケーションは、例えば、ユーザ機器デバイス上に実装される独立型アプリケーションであってもよい。例えば、メディアガイドアプリケーションは、記憶装置１００８内に記憶され、ユーザ機器デバイス１０００の制御回路１００４によって実行され得る、ソフトウェアまたは実行可能命令のセットとして実装されてもよい。いくつかの実施形態では、メディアガイドアプリケーションは、クライアント−サーバアプリケーションであってもよく、その場合、クライアントアプリケーションのみが、ユーザ機器デバイス上に常駐し、サーバアプリケーションは、遠隔サーバ上に常駐する。例えば、メディアガイドアプリケーションは、部分的に、ユーザ機器デバイス１０００の制御回路１００４上のクライアントアプリケーションとして、および遠隔サーバの制御回路上で起動するサーバアプリケーション（例えば、メディアガイドデータソース１１１８）として部分的に遠隔サーバ上で、実装されてもよい。遠隔サーバの制御回路（メディアガイドデータソース１１１８等）によって実行されると、メディアガイドアプリケーションは、制御回路に、ガイドアプリケーション表示を生成し、生成された表示をユーザ機器デバイスに伝送するように命令してもよい。サーバアプリケーションは、メディアガイドデータソース１１１８の制御回路に、ユーザ機器上での記憶のためのデータを伝送するように命令してもよい。クライアントアプリケーションは、受信用ユーザ機器の制御回路に、ガイドアプリケーション表示を生成するように命令してもよい。
【００９０】
ユーザ機器デバイス１１０２、１１０４、および１１０６に配信されるコンテンツおよび／またはメディアガイドデータは、オーバーザトップ（ＯＴＴ）コンテンツであってもよい。ＯＴＴコンテンツ配信は、上記に説明される任意のユーザ機器デバイスを含む、インターネット対応型ユーザデバイスが、ケーブルまたは衛星接続を経由して受信されるコンテンツに加えて、上記に説明される任意のコンテンツを含む、インターネットを経由して転送されるコンテンツを受信することを可能にする。ＯＴＴコンテンツは、インターネットサービスプロバイダ（ＩＳＰ）によって提供されるインターネット接続を介して配信されるが、第三者も、コンテンツを配布する。ＩＳＰは、視聴能力、著作権、またはコンテンツの再配布に責任がない場合があり、ＯＴＴコンテンツプロバイダによって提供されるＩＰパケットのみを転送してもよい。ＯＴＴコンテンツプロバイダの実施例は、ＩＰパケットを介してオーディオおよびビデオを提供する、ＹＯＵＴＵＢＥ（登録商標）、ＮＥＴＦＬＩＸ、ならびにＨＵＬＵを含む。Ｙｏｕｔｕｂｅは、Ｇｏｏｇｌｅ  Ｉｎｃ．によって所有される商標であり、Ｎｅｔｆｌｉｘは、Ｎｅｔｆｌｉｘ，  Ｉｎｃ．によって所有される商標であり、Ｈｕｌｕは、Ｈｕｌｕ，  ＬＬＣ．によって所有される商標である。ＯＴＴコンテンツプロバイダは、加えて、または代替として、上記に説明されるメディアガイドデータを提供してもよい。コンテンツおよび／またはメディアガイドデータに加えて、ＯＴＴコンテンツのプロバイダは、メディアガイドアプリケーション（例えば、ウェブベースのアプリケーションまたはクラウドベースのアプリケーション）を配布することができる、またはコンテンツは、ユーザ機器デバイス上に記憶されたメディアガイドアプリケーションによって表示されることができる。
【００９１】
メディアガイドシステム１１００は、いくつかのアプローチまたはネットワーク構成を例証することを意図しており、これによって、ユーザ機器デバイスおよびコンテンツならびにガイドデータのソースは、コンテンツにアクセスし、メディアガイドを提供する目的のために、相互に通信してもよい。本明細書に説明される実施形態は、これらのアプローチのうちのいずれか１つまたは一部において、もしくはコンテンツを配信し、メディアガイドを提供するための他のアプローチを採用するシステムにおいて、適用されてもよい。以下の４つのアプローチは、図１１の汎用実施例の具体的例証を提供する。
【００９２】
あるアプローチでは、ユーザ機器デバイスは、ホームネットワーク内で相互に通信してもよい。ユーザ機器デバイスは、上記に説明される短距離ポイントツーポイント通信方式を介して、ホームネットワーク上に提供されるハブまたは他の類似デバイスを通した間接パスを介して、もしくは通信ネットワーク１１１４を介して、相互に直接通信することができる。１つの家庭内の複数の個人のそれぞれが、ホームネットワーク上の異なるユーザ機器デバイスを動作させてもよい。結果として、種々のメディアガイド情報または設定が、異なるユーザ機器デバイスの間で通信されることが望ましくあり得る。例えば、２００５年７月１１日に出願されたＥｌｌｉｓ  ｅｔ  ａｌ．の米国特許公開第２００５／０２５１８２７号でより詳細に説明されるように、ホームネットワーク内の異なるユーザ機器デバイス上で、ユーザが一貫したメディアガイドアプリケーション設定を維持することが望ましくあり得る。ホームネットワーク内の異なるタイプのユーザ機器デバイスもまた、相互に通信し、コンテンツを伝送してもよい。例えば、ユーザは、ユーザコンピュータ機器からポータブルビデオプレーヤまたはポータブル音楽プレーヤにコンテンツを伝送してもよい。
【００９３】
第２のアプローチでは、ユーザは、複数のタイプのユーザ機器を有してもよく、これによって、コンテンツにアクセスし、メディアガイドを取得する。例えば、一部のユーザは、家庭内およびモバイルデバイスによってアクセスされる、ホームネットワークを有してもよい。ユーザは、遠隔デバイス上に実装されるメディアガイドアプリケーションを介して、家庭内デバイスを制御してもよい。例えば、ユーザは、そのオフィスのパーソナルコンピュータ、またはＰＤＡもしくはウェブ対応携帯電話等のモバイルデバイスを介して、ウェブサイト上のオンラインメディアガイドアプリケーションにアクセスしてもよい。ユーザは、オンラインガイドアプリケーション上で種々の設定（例えば、録画、リマインダ、または他の設定）を設定して、ユーザの家庭内機器を制御してもよい。オンラインガイドは、直接、またはユーザの家庭内機器上のメディアガイドアプリケーションと通信することによって、ユーザの機器を制御してもよい。ユーザ機器デバイスが相互から遠隔の場所にある、ユーザ機器デバイスの通信のための種々のシステムおよび方法は、例えば、Ｅｌｌｉｓ  ｅｔ  ａｌ．の２０１１年１０月２５日に発行された米国特許第８，０４６，８０１号（その全体を参照することによって本明細書に組み込まれる）に議論されている。
【００９４】
第３のアプローチでは、家庭内外のユーザ機器デバイスのユーザは、コンテンツソース１１１６と直接通信し、コンテンツにアクセスするために、そのメディアガイドアプリケーションを使用することができる。具体的には、家庭内では、ユーザテレビ機器１１０２およびユーザコンピュータ機器１１０４のユーザは、メディアガイドアプリケーションにアクセスし、所望のコンテンツ間をナビゲートし、それを特定してもよい。ユーザはまた、無線ユーザ通信デバイス１１０６を使用して、家庭外のメディアガイドアプリケーションにアクセスし、所望のコンテンツ間をナビゲートし、それを特定してもよい。
【００９５】
第４のアプローチでは、ユーザ機器デバイスは、クラウドコンピューティング環境内で動作し、クラウドサービスにアクセスしてもよい。クラウドコンピューティング環境では、コンテンツ共有、記憶、または配布のための種々のタイプのコンピューティングサービス（例えば、ビデオ共有サイトまたはソーシャルネットワーキングサイト）が、「クラウド」と称される、ネットワークアクセス可能コンピューティングおよび記憶リソースの集合によって提供される。例えば、クラウドは、通信ネットワーク１１１４を介したインターネット等のネットワークを介して接続される、種々のタイプのユーザおよびデバイスにクラウドベースのサービスを提供する、中央にまたは分散場所に位置し得る、サーバコンピューティングデバイスの集合を含むことができる。これらのクラウドリソースは、１つ以上のコンテンツソース１１１６および１つ以上のメディアガイドデータソース１１１８を含んでもよい。加えて、または代替として、遠隔コンピューティングサイトは、ユーザテレビ機器１１０２、ユーザコンピュータ機器１１０４、および無線ユーザ通信デバイス１１０６等の他のユーザ機器デバイスを含んでもよい。例えば、他のユーザ機器デバイスは、ビデオの記憶されたコピーまたはストリーミングされたビデオへのアクセスを提供してもよい。そのような実施形態では、ユーザ機器デバイスは、中央サーバと通信することなく、ピアツーピア様式で動作してもよい。
【００９６】
クラウドは、ユーザ機器デバイスのために、他の実施例の中でもとりわけ、コンテンツ記憶、コンテンツ共有、またはソーシャルネットワーキングサービス等のサービスへのアクセス、ならびに上記に説明される任意のコンテンツへのアクセスを提供する。サービスは、クラウドコンピューティングサービスプロバイダを通して、またはオンラインサービスの他のプロバイダを通して、クラウド内で提供されることができる。例えば、クラウドベースのサービスは、コンテンツ記憶サービス、コンテンツ共有サイト、ソーシャルネットワーキングサイト、または他のサービスを含むことができ、それを介して、ユーザ供給コンテンツは、接続されたデバイス上で他者によって視聴するために配布される。これらのクラウドベースのサービスは、ユーザ機器デバイスが、コンテンツをローカルで記憶し、ローカルで記憶されたコンテンツにアクセスするのではなく、コンテンツをクラウドに記憶し、コンテンツをクラウドから受信することを可能にしてもよい。
【００９７】
ユーザは、カムコーダ、ビデオモード付きデジタルカメラ、オーディオレコーダ、携帯電話、およびハンドヘルドコンピューティングデバイス等の種々のコンテンツ捕捉デバイスを使用して、コンテンツを録画してもよい。ユーザは、直接、例えば、ユーザコンピュータ機器１１０４から、またはコンテンツ捕捉特徴を有する、無線ユーザ通信デバイス１１０６からのいずれかにおいて、クラウド上のコンテンツ記憶サービスにコンテンツをアップロードすることができる。代替として、ユーザは、最初に、コンテンツをユーザコンピュータ機器１１０４等のユーザ機器デバイスに転送することができる。コンテンツを記憶するユーザ機器デバイスは、通信ネットワーク１１１４上のデータ伝送サービスを使用して、コンテンツをクラウドにアップロードする。いくつかの実施形態では、ユーザ機器デバイス自体が、クラウドリソースであり、他のユーザ機器デバイスは、直接、ユーザがコンテンツを記憶したユーザ機器デバイスから、コンテンツにアクセスすることができる。
【００９８】
クラウドリソースは、例えば、ウェブブラウザ、メディアガイドアプリケーション、デスクトップアプリケーション、モバイルアプリケーション、および／またはそれらのアクセスアプリケーションの任意の組み合わせを使用して、ユーザ機器デバイスによってアクセスされてもよい。ユーザ機器デバイスは、アプリケーション配信のために、クラウドコンピューティングに依拠する、クラウドクライアントであってもよい、またはユーザ機器デバイスは、クラウドリソースにアクセスすることなく、ある機能性を有してもよい。例えば、ユーザ機器デバイス上で起動するいくつかのアプリケーションは、クラウドアプリケーション、すなわち、インターネットを経由してサービスとして配信されるアプリケーションであってもよい一方、他のアプリケーションは、ユーザ機器デバイス上に記憶され、起動されてもよい。いくつかの実施形態では、ユーザデバイスは、コンテンツを複数のクラウドリソースから同時に受信してもよい。例えば、ユーザデバイスは、オーディオを１つのクラウドリソースからストリーミングする一方で、コンテンツを第２のクラウドリソースからダウンロードすることができる。または、ユーザデバイスは、より効率的なダウンロードのために、コンテンツを複数のクラウドリソースからダウンロードすることができる。いくつかの実施形態では、ユーザ機器デバイスは、図１０に関連して説明される処理回路によって実施される処理動作等の処理動作のために、クラウドリソースを使用することができる。
【００９９】
本明細書で参照されるように、用語「〜に応答して」は、「〜の結果として開始される」ことを指す。例えば、第２のアクションに応答して実施されている第１のアクションは、第１のアクションと第２のアクションとの間に介在ステップを含んでもよい。本明細書で参照されるように、用語「〜に直接応答して」は、「〜によって引き起こされる」ことを指す。例えば、第２のアクションに直接応答して実施されている第１のアクションは、第１のアクションと第２のアクションとの間に介在ステップを含まなくてもよい。
【０１００】
図１２は、本開示のいくつかの実施形態による、以前にアクセスされたコンテンツについて情報を視聴者に提供するためのプロセス１２００の例証的ステップのフローチャートである。プロセス１２００またはその任意のステップは、図１０−１１に示されるデバイスのうちのいずれかの上で実施される、またはそれによって提供され得ることに留意されたい。例えば、プロセス１２００は、以前にアクセスされたコンテンツに関連する情報の進捗バーを提示するために、ユーザデバイス（例えば、ユーザ機器デバイス１１０２、１１０４、および／または１１０６（図１１））上で実装されるメディアガイドアプリケーションによって命令される通りに、制御回路１００４（図１０）によって実行されてもよい。加えて、プロセス１２００の１つ以上のステップが、本明細書に説明される任意の他のプロセスもしくは実施形態の１つ以上のステップに組み込まれる、もしくはそれと組み合わせられてもよい。
【０１０１】
図１２は、以前にアクセスされたメディアコンテンツアイテムについての情報を提供するための例証的プロセス１２００を描写する。ステップ１２１０では、メディアガイドアプリケーションのための制御回路１００４は、ユーザ機器（例えば、ユーザ機器デバイス１１０２、１１０４、および／または１１０６（図１１））を使用して、第１のメディアコンテンツアイテムにアクセスしてもよい。メディアガイドアプリケーション制御回路１００４は、任意のメディアソースから第１のメディアコンテンツアイテムにアクセスし、ユーザ機器のための画面内に第１のメディアコンテンツの表示を生成してもよい。上記からの実施例を使用して、視聴者は、バスケットボールの試合を視聴することを所望し得、メディアガイドアプリケーション選択を行い、バスケットボールの試合を表示させるであろう。視聴者は、次いで、メディアの別のアイテムにアクセスすることを所望し得る。
【０１０２】
ステップ１２２０では、メディアガイドアプリケーションは、第１のコンテンツの代わりに第２のコンテンツにアクセスするようにユーザ機器に命令してもよい。本ステップでは、視聴者は、バスケットボールの試合を鑑賞することから、例えば、テレビ番組Ｔｈｅ  Ｓｉｍｐｓｏｎｓにアクセスすることに変更することを所望し得、視聴者は、メディアガイドアプリケーションにおいて選択を行い、メディアアクセスの変更を要求している場合がある。
【０１０３】
メディアガイドアプリケーションのための制御回路１００４は、ステップ１２３０において、第２のコンテンツおよび第１のコンテンツのセグメントを識別する情報の同時表示を生成してもよい。例えば、第２のコンテンツにアクセスするユーザ要求を受信することに応答して、メディアガイドアプリケーションは、以前にアクセスされた第１のコンテンツについての情報とともに、第２のコンテンツの表示を生成するであろう。バスケットボールの試合の実施例に従うと、メディアガイドアプリケーションは、視聴者がアクセスすることを止めたバスケットボールの試合についての情報の同時表示を伴って、Ｔｈｅ  Ｓｉｍｐｓｏｎｓ等の第２のメディアアイテムのためのコンテンツの表示を生成してもよい。ステップ１２３０において表示される第１のコンテンツのためのセグメントを識別する情報は、第１のコンテンツで起こるイベント、すなわち、視聴者がバスケットボールの試合にアクセスすることを止めてからバスケットボールの試合で起こるイベントであってもよい。セグメントを識別する、選択された情報は、進捗バー内に表示されてもよい。
【０１０４】
第１のコンテンツのためのセグメントを識別する情報は、視聴者にとって興味深くあり得る、第１のコンテンツのセグメントに関連し得る。視聴者のために表示されるセグメントはまた、セグメントと関連付けられるアクションを取得するように選択可能であり得る。ステップ１２４０では、メディアガイドアプリケーションは、第１のコンテンツのセグメントのうちの１つのユーザ選択を受信してもよい。例えば、視聴者は、ディスプレイ用のタッチスクリーン、リモートコントロール、キーボード、または他のユーザ入力デバイスを使用して、第１のコンテンツについてのセグメントのうちの１つを選択してもよい。
【０１０５】
第１のコンテンツのセグメントのうちの１つのユーザ選択の受信に応じて、メディアガイドアプリケーションは、ステップ１２５０において、第１のコンテンツの選択されたセグメントに関連するアクションを実施するであろう。例えば、ユーザは、フリースローに関するバスケットボールの試合に関して、進捗バーからセグメントを選択してもよい。本選択に応答して、メディアガイドアプリケーションは、フリースローを録画する、それをユーザの鑑賞リストに追加する、フリースローにリンクする、フリースローの時間においてバスケットボールの試合に戻る、または他の好適なアクション等の選択されたセグメントと関連付けられるアクションを実施するであろう。
【０１０６】
図１２のステップまたは説明は、本開示の任意の他の実施形態と併用され得ることが考慮される。加えて、図１２に関連して説明されるステップおよび説明は、本開示の目的を促すために、代替順序で、または並行して、行われてもよい。例えば、これらのステップはそれぞれ、システムまたは方法の遅延を低減させる、もしくは速度を増加させるように、任意の順序で、または並行して、もしくは実質的に同時に実施されてもよい。これらのステップのうちのいずれかはまた、スキップされる、またはプロセスから省略されてもよい。さらに、図１０−１１に関連して議論されるデバイスまたは機器のうちのいずれかは、図１２のステップのうちの１つ以上を実施するために使用され得ることに留意されたい。
【０１０７】
図１３は、本開示のいくつかの実施形態による、以前にアクセスされたコンテンツについて情報を視聴者に提供するためのプロセス１３００の例証的ステップのフローチャートである。プロセス１３００またはその任意のステップは、図１０−１１に示されるデバイスのうちのいずれかの上で実施される、またはそれによって提供され得ることに留意されたい。例えば、プロセス１３００は、以前にアクセスされたコンテンツに関連する情報の進捗バーを提示するために、ユーザデバイス（例えば、ユーザ機器デバイス１１０２、１１０４、および／または１１０６（図１１））上で実装されるメディアガイドアプリケーションによって命令される通りに、制御回路１００４（図１０）によって実行されてもよい。加えて、プロセス１３００の１つ以上のステップが、本明細書に説明される任意の他のプロセスもしくは実施形態の１つ以上のステップに組み込まれる、もしくはそれと組み合わせられてもよい。
【０１０８】
図１３は、以前にアクセスされたメディアアイテムについての情報のセグメントを提示するための例証的プロセス１３００におけるステップを描写する。プロセス１３００は、メディアコンテンツを鑑賞することを所望する視聴者から開始してもよい。ステップ１３０５では、メディアガイドアプリケーションのための制御回路１００４は、ユーザ機器を用いて、第１のメディアコンテンツアイテムにアクセスしてもよい。メディアガイドアプリケーションは、メディアコンテンツのあるアイテムにアクセスし、それをテレビまたは他のタブレット等のユーザデバイスの画面上に表示させてもよい。メディアコンテンツは、メディアソースによって供給される任意のタイプのメディアであってもよい。
【０１０９】
ユーザは、次いで、別のメディアアイテムを視聴することを所望し得る。視聴者は、メディアガイドアプリケーションを使用し、別のメディアアイテムにアクセスしてもよい。ステップ１３１０では、メディアガイドアプリケーションのための制御回路１００４は、第１のコンテンツの代わりに第２のコンテンツにアクセスするようにユーザ機器に命令するであろう。第２のコンテンツは、第１のコンテンツ内の第１の進行点においてアクセスされる。第１の進行点と関連付けられる時間等の第１の進行点についての情報は、メディアガイドアプリケーションのための制御回路１００４によって、メモリまたはキャッシュ内に記憶されてもよい。実施例では、ユーザは、最初にバスケットボールの試合を鑑賞し始めている場合があるが、次いで、シリーズＴｈｅ  Ｓｉｍｐｓｏｎｓのエピソード等の別のメディアアイテムにアクセスすることに変更してもよい。本実施例では、メディアガイドアプリケーションのための制御回路１００４は、視聴者がバスケットボールの試合にアクセスすることを止めたときに、バスケットボールの試合の進行と関連付けられる時間のためのタイムスタンプを記憶するであろう。
【０１１０】
ステップ１３１５では、第２のコンテンツがアクセスされている間に、メディアガイドアプリケーションのための制御回路１００４は、第１の進行点に続く個別のタイムスタンプと関連付けられる複数のイベントに関して、第１のコンテンツと関連付けられるメタデータを監視するであろう。上記の実施例を使用して、Ｔｈｅ  Ｓｉｍｐｓｏｎｓのエピソードが視聴者によってアクセスされている間に、メディアガイドアプリケーションは、第１の進行点に続くタイムスタンプを有する試合で起こるイベントに関して、すなわち、視聴者がバスケットボールの試合を鑑賞することを止めたときに、バスケットボールの試合についてのメタデータを監視してもよい。メタデータは、１つ以上のメディアソースから、またはメディアについての第三者メディアソースもしくはユーザ生成解説から、メディアガイドアプリケーションのための制御回路１００４によって監視されてもよい。一般的に言えば、メディアガイドアプリケーションは、ユーザがメディアコンテンツを鑑賞することを止める前に、ユーザがメディアコンテンツにアクセスしていた間に起こったイベントが、見られていた可能性が高く、視聴者にとってあまり興味深くないであろうため、第１の進行点に続いて起こるイベントのためのタイムスタンプを示すメタデータを有する、イベントに焦点を当てるであろう。
【０１１１】
ステップ１３２０では、第１のコンテンツ内の複数のイベントのうちのイベントを検出することに応答して、メディアガイドアプリケーションのための制御回路１００４は、第１の進行点に続く第１のコンテンツのセグメントのリスト内にイベントを識別する情報を記憶してもよい。例えば、メディアガイドアプリケーションのための制御回路１００４は、第１のコンテンツ内のイベントのためのタイムスタンプ情報を記憶してもよい。加えて、メディアガイドアプリケーションのための制御回路１００４は、イベントと関連付けられるコンテンツのリンクまたは可用性を判定し、キャッシュ内にそのような情報を記憶してもよい。バスケットボールの実施例では、メディアガイドアプリケーションのための制御回路１００４は、バスケットボールの試合のためのスポーツフィードから得点イベント等の複数のイベントを検出してもよい。そのようなイベントは、イベントのためのタイムスタンプ情報とともに捕捉され、メディアガイドアプリケーションのために制御回路１００４によって記憶されてもよい。
【０１１２】
ステップ１３２５では、メディアガイドアプリケーションのための制御回路１００４は、ユーザ機器上に表示するために、第２のコンテンツおよび第１の進行点に続く第１のコンテンツのセグメントのリストの同時表示を生成してもよい。例えば、メディアガイドアプリケーションのための制御回路１００４は、記憶されたイベントをレビューし、以前にアクセスされたメディアのための１つ以上の記憶されたイベントを選択し、ユーザ機器画面内に表示するべきあるイベントの進捗バーを生成してもよい。一般に、進捗バーの表示は、視聴者にとって過度に気が散るものでないように、画面内で比較的に限定されてもよい。進捗バー内に含まれるように選択されるイベントセグメントは、コンテンツが進行し、ますます多くのイベントがコンテンツ内で起こり、加えて、イベントについてのさらなるメタデータおよびユーザ生成解説が利用可能になるにつれて、経時的に変更されてもよい。いくつかの配列では、イベントのうちのいくつかは、ユーザにとって興味深いことにより関連性があるものとして、あるイベントをハイライトする様式で、提示されてもよい。そのようなイベントは、イベントのためのメタデータ、ユーザ選好情報、イベントの人気等を使用して、メディアガイドアプリケーションのための制御回路１００４によって識別されてもよい。リスト内のセグメントは、視聴者によって選択されてもよい。
【０１１３】
ステップ１３３０では、メディアガイドアプリケーションのための制御回路１００４は、第１のコンテンツのリスト内のセグメントのうちの第１のもののユーザ選択を受信してもよい。ユーザ選択は、メディアガイドアプリケーションを介してセグメントの選択を入力するように、リモートコントロール内の入力等のユーザ入力技法を使用して、またはタッチスクリーンデバイスもしくはキーボード等を使用して、ユーザによって行われてもよい。セグメント選択は、ユーザ機器画面内の表示内の進捗バー内のセグメントのリストのうちの１つであってもよい。例えば、進捗バーは、バスケットボールの試合における種々の得点イベントを含んでもよく、選手のうちの１人によるフリースローについてのセグメントを含んでもよい。視聴者が、フリースローを視聴することを所望し得るため、視聴者は、フリースローのための個別のセグメントを選択してもよい。
【０１１４】
ユーザ選択に応答して、メディアガイドアプリケーションのための制御回路１００４は、ステップ１３３５において、第１のコンテンツ内の第１のイベントの開始時間および終了時間を表す、第１のセグメントのタイムスタンプを読み出してもよい。本ステップでは、メディアガイドアプリケーションのための制御回路１００４は、イベントについての情報のそのキャッシュを調べ、イベントと関連付けられるタイムスタンプをチェックし、セグメントのための開始および終了時間を識別するであろう。タイムスタンプは、コンテンツの関連性がある部分を視聴者に提示するために使用されることができる。
【０１１５】
ステップ１３４０では、メディアガイドアプリケーションのための制御回路１００４は、読み出されたタイムスタンプに基づいて、第１のコンテンツの選択された第１のセグメントに関連するアクションを実施するであろう。例えば、メディアガイドアプリケーションのための制御回路１００４は、選択されたセグメントと関連付けられるコンテンツを録画させる、視聴者の鑑賞リストに追加させる、鑑賞を再開する、コンテンツへのリンクを共有する、または他のアクションであり得る。メディアガイドアプリケーションのための制御回路１００４は、セグメントのためのタイムスタンプを使用して、メディアソースからの関連性があるコンテンツにアクセスし、視聴者がアクセスすることを所望するメディアの正確な部分を特定してもよい。
【０１１６】
図１３のステップまたは説明は、本開示の任意の他の実施形態と併用され得ることが考慮される。加えて、図１３に関連して説明されるステップおよび説明は、本開示の目的を促すために、代替順序で、または並行して、行われてもよい。例えば、これらのステップはそれぞれ、システムまたは方法の遅延を低減させる、もしくは速度を増加させるように、任意の順序で、または並行して、もしくは実質的に同時に実施されてもよい。これらのステップのうちのいずれかはまた、スキップされる、またはプロセスから省略されてもよい。さらに、図１０−１１に関連して議論されるデバイスまたは機器のうちのいずれかは、図１３のステップのうちの１つ以上を実施するために使用され得ることに留意されたい。
【０１１７】
図１４は、本開示のいくつかの実施形態による、進捗バー表示内に含むべき以前にアクセスされたコンテンツのセグメントを選択するためのプロセス１４００の例証的ステップのフローチャートである。プロセス１４００またはその任意のステップは、図１０−１１に示されるデバイスのうちのいずれかの上で実施される、またはそれによって提供され得ることに留意されたい。例えば、プロセス１４００は、以前にアクセスされたコンテンツに関連する情報の進捗バーを提示するために、ユーザデバイス（例えば、ユーザ機器デバイス１１０２、１１０４、および／または１１０６（図１１））上で実装されるメディアガイドアプリケーションによって命令される通りに、制御回路１００４（図１０）によって実行されてもよい。加えて、プロセス１３００の１つ以上のステップが、本明細書に説明される任意の他のプロセスもしくは実施形態の１つ以上のステップに組み込まれる、もしくはそれと組み合わせられてもよい。
【０１１８】
図１４は、進捗バー表示内に含むべき以前にアクセスされたコンテンツのセグメントを選択するための例証的プロセスのフローチャートである。実施例では、視聴者は、バスケットボールの試合にアクセスし、次いで、テレビ番組にアクセスしてもよい。テレビ番組表示画面では、メディアガイドアプリケーションは、視聴者が、鑑賞することを止めた試合のあるハイライトまたはイベントも見ながら、テレビ番組を鑑賞し得るように、バスケットボールの試合のための進捗バーの同時表示を生成してもよい。進捗バー内に含むべきセグメントまたはイベントを選択するために、メディアガイドアプリケーションは、以前にアクセスされたコンテンツアイテム、すなわち、バスケットボールの試合のためのメタデータを監視してもよい。
【０１１９】
メディアガイドアプリケーションのための制御回路１００４は、以前にアクセスされたコンテンツのためのメタデータに関して、１つ以上のメディアソースを監視してもよい。バスケットボールの試合の実施例では、メディアガイドアプリケーションは、バスケットボールの試合と関連付けられるチーム、団体、またはチャネルに関して、スポーツフィードを監視してもよい。ステップ１４１０では、メディアガイドアプリケーションのための制御回路１００４は、バスケットボールの試合等の以前にアクセスされたコンテンツのためのメタデータを受信してもよい。メタデータは、以前にアクセスされたコンテンツについての任意のタイプのデータであってもよい。バスケットボールの試合の実施例では、得点、プレー、およびポイント情報が、種々のイベントと見なされてもよい。ハーフタイムショー、観衆の表示等他のイベントもまた、バスケットボールの試合で起こる、または他のイベントもまた、関連付けられるメタデータを有し得る。イベントメタデータは、データフィードから、または第三者メディアソースもしくはソーシャルネットワークから取得されてもよい。例えば、メディアガイドアプリケーションは、バスケットボールの試合でプレーするチームの一方または両方のためのハッシュタグ、もしくは他の監視技法に関して、投稿を監視し得る。
【０１２０】
ステップ１４２０では、メディアガイドアプリケーションのための制御回路１００４は、コンテンツのセグメントを識別してもよい。セグメントは、プレーまたはポイント得点イベント、もしくは選手関連イベントまたはハーフタイムショー、もしくは他の出来事等のイベントがコンテンツ内で起こったことを示す情報に関して、メタデータを分析することによって、識別されてもよい。
【０１２１】
ステップ１４３０では、メディアガイドアプリケーションは、次いで、コンテンツの識別されたセグメントと関連付けられるフィードバックに関して、１つ以上のメディアデータベースを検索してもよい。例えば、メディアガイドアプリケーションは、識別されたセグメントを使用するインスタンスに関して、ゲーム解説を検索してもよい。
【０１２２】
ステップ１４４０では、メディアガイドアプリケーションのための制御回路１００４は、フィードバックを分析し、それが有用である、または人気があることを示すことを確信するどうかを判定してもよい。そのような分析は、例えば、セグメントが任意の解説またはソーシャルメディアにおける任意のインスタンスで使用されたかどうかに基づいてもよい。セグメントはまた、その個別のタイプに関して分析されてもよく、タイプは、それが概して有用であるかどうかを判定するために使用されてもよい。
【０１２３】
メディアガイドアプリケーションのための制御回路１００４が、フィードバックが肯定的であることを判定する場合には、ステップ１４５０において、メディアガイドアプリケーションのための制御回路１００４は、セグメントを表示することを判定してもよい。メディアガイドアプリケーションのための制御回路１００４が、フィードバックが肯定的ではないことを判定する場合には、メディアガイドアプリケーションは、ステップ１４６０においてセグメントをドロップし、視聴者のための進捗バーに含むべきセグメントのリスト内のセグメントを使用しなくてもよい。
【０１２４】
進捗バーのリストに含まれることに加えて、メディアガイドアプリケーションのための制御回路１００４は、セグメントが複数のソースで利用可能であるかどうかを判定することによって、ステップ１４７０においてセグメントをハイライトするかどうかを判定してもよい。ステップ１４７０では、メディアガイドアプリケーションは、セグメントが１つを上回るメディアソースで使用されたか、または利用可能にされたかどうかをチェックしてもよい。一般に、セグメントが種々のメディアソースで利用可能である、または出現する、より多くのインスタンスは、それが人気である、または視聴者にとって興味深いというインジケータであってもよい。したがって、セグメントが、複数のソースで出現する場合には、メディアガイドアプリケーションのための制御回路１００４によって、ステップ１４８０においてハイライトされたまたは際立った様式で進捗内に表示されてもよい。セグメントが、複数のソースで出現しない場合、通常、進捗バー内に含まれる、または表示されてもよい。プロセス１４００は、時間が進行するにつれて繰り返されてもよく、より多くのメタデータが、セグメントのために利用可能になる。
【０１２５】
図１４のステップまたは説明は、本開示の任意の他の実施形態と併用され得ることが考慮される。加えて、図１４に関連して説明されるステップおよび説明は、本開示の目的を促すために、代替順序で、または並行して、行われてもよい。例えば、これらのステップはそれぞれ、システムまたは方法の遅延を低減させる、もしくは速度を増加させるように、任意の順序で、または並行して、もしくは実質的に同時に実施されてもよい。これらのステップのうちのいずれかはまた、スキップされる、またはプロセスから省略されてもよい。さらに、図１０−１１に関連して議論されるデバイスまたは機器のうちのいずれかは、図１４のステップのうちの１つ以上を実施するために使用され得ることに留意されたい。
【０１２６】
図１５は、本開示のいくつかの実施形態による、以前にアクセスされたメディアのための進捗バー内に含むべきセグメントを選択するためのプロセス１５００の例証的ステップのフローチャートである。プロセス１５００またはその任意のステップは、図１０−１１に示されるデバイスのうちのいずれかの上で実施される、またはそれによって提供され得ることに留意されたい。例えば、プロセス１５００は、以前にアクセスされたコンテンツに関連する情報の進捗バーを提示するために、ユーザデバイス（例えば、ユーザ機器デバイス１１０２、１１０４、および／または１１０６（図１１））上で実装されるメディアガイドアプリケーションによって命令される通りに、制御回路１００４（図１０）によって実行されてもよい。加えて、プロセス１５００の１つ以上のステップが、本明細書に説明される任意の他のプロセスもしくは実施形態の１つ以上のステップに組み込まれる、もしくはそれと組み合わせられてもよい。
【０１２７】
図１５は、以前にアクセスされたメディアについての進捗バー表示内に含むべきセグメントを選択するために使用され得る、プロセス１５００を描写する。例えば、視聴者は、バスケットボールの試合を鑑賞し、次いで、テレビ番組にアクセスしてもよい。テレビ番組が表示されるとき、メディアガイドアプリケーションは、バスケットボールの試合についてのメタデータを監視し、ユーザに着目され得るベントを取得してもよい。そのようなイベントについての情報は、テレビ番組を示す画面内に表示される進捗バー内に含まれてもよい。進捗バー内に含むべきセグメントの選択は、メディアガイドアプリケーションのための制御回路１００４によって実施されてもよい。
【０１２８】
ステップ１５１０では、メディアガイドアプリケーションのための制御回路１００４は、以前にアクセスされたコンテンツのセグメントを示すメタデータを受信してもよい。例えば、メディアガイドアプリケーションは、スポーツフィードから、バスケットボールの試合で起こるプレーについてのメタデータを受信してもよい。プレーについてのメタデータは、例えば、プレーのための時間情報、プレーのタイプ、プレーに関与する選手、または他の情報を含むことができる。
【０１２９】
ステップ１５２０では、メディアガイドアプリケーションのための制御回路１００４は、コンテンツのセグメントをユーザプロファイルと比較してもよい。本ステップでは、メディアガイドアプリケーションのための制御回路１００４は、ユーザプロファイルに対して、プレーを行う選手、プレーのタイプ等のセグメントについての情報を比較してもよい。実施例では、ユーザは、お気に入りのチームまたは架空のバスケットボールチームを有してもよく、そのような情報は、ユーザプロファイル内に含まれてもよい。ユーザプロファイル情報は、ユーザによって明示的に追加される、または、例えば、ユーザの視聴習慣およびファンタジースポーツアプリケーションの使用を監視することによって、メディアガイドアプリケーションによって学習されてもよい。
【０１３０】
ステップ１５３０では、ディアガイドアプリケーションのための制御回路１００４は、セグメントがユーザプロファイル内のユーザ選好に合致するかどうかを判定してもよい。例えば、メディアガイドアプリケーションは、該当する場合、お気に入りの選手、架空のチームの選手等に関連するセグメントを判定してもよい。別の実施例では、メディアガイドアプリケーションは、任意のセグメントが特別なタイプのプレーに関するかどうかを判定してもよい。別の実施例では、メディアガイドアプリケーションは、任意のセグメントが、人気またはお気に入りの出演者を含むハーフタイムショーのためのものであるどうかを判定してもよい。
【０１３１】
ステップ１５３０における判定に基づいて、メディアガイドのための制御回路１００４は、ステップ１５４０において、以前にアクセスされたコンテンツのための進捗バー内に含むべき合致セグメントを選択してもよい。ユーザプロファイルに合致しないセグメントに関して、メディアガイドアプリケーションのための制御回路１００４は、１５５０において、リストからセグメントをドロップしてもよい。プロセス１５００は、時間が進行するにつれて繰り返されてもよく、より多くのメタデータが、セグメントのために利用可能になる。プロセス１４００および１５００は、進捗バー内に含まれるセグメントの関連性を改良するために、ともに、または別個に使用されてもよい。
【０１３２】
図１５のステップまたは説明は、本開示の任意の他の実施形態と併用され得ることが考慮される。加えて、図１５に関連して説明されるステップおよび説明は、本開示の目的を促すために、代替順序で、または並行して、行われてもよい。例えば、これらのステップはそれぞれ、システムまたは方法の遅延を低減させる、もしくは速度を増加させるように、任意の順序で、または並行して、もしくは実質的に同時に実施されてもよい。これらのステップのうちのいずれかはまた、スキップされる、またはプロセスから省略されてもよい。さらに、図１０−１１に関連して議論されるデバイスまたは機器のうちのいずれかは、図１５のステップのうちの１つ以上を実施するために使用され得ることに留意されたい。
【０１３３】
図１６は、本開示のいくつかの実施形態による、第２のコンテンツのための第２の進捗バーを生成するためのプロセス１６００の例証的ステップのフローチャートである。プロセス１６００またはその任意のステップは、図１０−１１に示されるデバイスのうちのいずれかの上で実施される、またはそれによって提供され得ることに留意されたい。例えば、プロセス１６００は、以前にアクセスされたコンテンツ順序に関連する情報の進捗バーを提示し、スポーツイベントをシミュレートするために、ユーザデバイス（例えば、ユーザ機器デバイス１１０２、１１０４、および／または１１０６（図１１））上で実装されるメディアガイドアプリケーションによって命令される通りに、制御回路１００４（図１０）によって実行されてもよい。加えて、プロセス１６００の１つ以上のステップが、本明細書に説明される任意の他のプロセスもしくは実施形態の１つ以上のステップに組み込まれる、もしくはそれと組み合わせられてもよい。
【０１３４】
図１６は、第２のコンテンツアイテムのための第２の進捗バーを生成するために使用され得る、例証的プロセス１６００を描写する。視聴者が、バスケットボールの試合を鑑賞し、次いで、テレビ番組にアクセスすることに変更した、実施例では、視聴者が、バスケットボールの試合からのセグメントにアクセスすることを選択する場合、メディアガイドアプリケーションは、選択されたセグメントを含む表示、また、テレビ番組のためのイベント情報を含む第２の進捗バーを生成してもよい。
【０１３５】
ステップ１６０５では、メディアガイドアプリケーションのための制御回路１００４は、第１のコンテンツの第１のセグメントの選択を受信してもよい。以前に鑑賞されたコンテンツの進捗バーを含むテレビ番組の表示では、視聴者は、進捗バーからセグメントを選択し、メディアガイドアプリケーションによって実施され得るアクションを取得してもよい。例えば、テレビ番組表示は、視聴者が以前に鑑賞していたバスケットボールの試合のための進捗バーを含んでもよい。進捗バーは、視聴者がバスケットボールの試合にアクセスすることを止めてから起こったイベントに関する１つ以上のセグメントを含んでもよい。視聴者が、セグメントのうちの１つを選択するとき、メディアガイドアプリケーションは、視聴者がセグメントと関連付けられるアクションのための選択を入力し得る、アクションまたはオプションウィンドウを生成してもよい。セグメントの選択は、メディアガイドアプリケーションのための制御回路１００４によって受信されてもよく、メディアガイドアプリケーションは、メディアガイドアプリケーションが必要とされるアクションを実施し得るように、セグメントと関連付けられるソースおよび時間を判定してもよい。
【０１３６】
ステップ１６１０では、メディアガイドアプリケーションのための制御回路１００４は、ユーザ機器を用いて、選択されたセグメントと関連付けられるピクチャインピクチャ表示を生成してもよい。特に、メディアガイドアプリケーションのための制御回路１００４は、セグメントと関連付けられるタイムスタンプを判定し、ピクチャインピクチャ表示内に表示するべき第１のコンテンツ、すなわち、バスケットボールの試合の関連性がある部分を識別してもよい。セグメントコンテンツは、第１のコンテンツにアクセスするために使用される最初のメディアソースから、または好適かつ利用可能である場合、別のメディアソースから、メディアガイドアプリケーションのための制御回路１００４によって取得されてもよい。
【０１３７】
選択されたセグメントと関連付けられるピクチャインピクチャ表示の追加が、ユーザが視聴していたテレビ番組からユーザの気を逸らし得るため、メディアガイドアプリケーションは、テレビ番組のためのメタデータを監視し、第２のコンテンツ、すなわち、視聴者が鑑賞するために変更したテレビ番組のための第２の進捗バー内に含まれ得る、セグメントを識別してもよい。ステップ１６２０では、メディアガイドアプリケーションのための制御回路１００４は、ユーザ機器を用いて、第２のコンテンツ内に表示するために、第１のセグメント後の時点に続く第２のコンテンツのためのセグメントを生成してもよい。第２の進捗バーは、以前に鑑賞されたコンテンツのための選択されたセグメントにアクセスすることと関連付けられる時間に続く、第２のコンテンツのためのセグメントを含むであろう。例えば、視聴者が、セグメントを選択し、以前にアクセスしたバスケットボールの試合からのプレーを鑑賞する場合、メディアガイドアプリケーションは、バスケットボールセグメントが選択された時間に続くタイムスタンプを有する、第２の進捗バー内に含むべきテレビ番組からのセグメントを識別してもよい。いくつかのシナリオでは、視聴者がバスケットボールの試合の進捗バーに気を取られ、テレビ番組で何らかのものを見落とした場合において、選択の時間のわずかに前に起こったイベントが含まれ得るように、選択時間のわずかに前の短い周期の時間バッファが、追加されてもよい。
【０１３８】
図１６のステップまたは説明は、本開示の任意の他の実施形態と併用され得ることが考慮される。加えて、図１６に関連して説明されるステップおよび説明は、本開示の目的を促すために、代替順序で、または並行して、行われてもよい。例えば、これらのステップはそれぞれ、システムまたは方法の遅延を低減させる、もしくは速度を増加させるように、任意の順序で、または並行して、もしくは実質的に同時に実施されてもよい。これらのステップのうちのいずれかはまた、スキップされる、またはプロセスから省略されてもよい。さらに、図１０−１１に関連して議論されるデバイスまたは機器のうちのいずれかは、図１６のステップのうちの１つ以上を実施するために使用され得ることに留意されたい。
【０１３９】
図１７は、本開示のいくつかの実施形態による、ソーシャルメディア上で共有するためにアクセスされたコンテンツに関連する画像を選択するためのプロセス１７００の例証的ステップのフローチャートである。プロセス１７００またはその任意のステップは、図１０−１１に示されるデバイスのうちのいずれかの上で実施される、またはそれによって提供され得ることに留意されたい。例えば、プロセス１７００は、コンテンツと関連付けられる画像を提示するために、ユーザデバイス（例えば、ユーザ機器デバイス１１０２、１１０４、および／または１１０６（図１１））上で実装されるメディアガイドアプリケーションによって命令される通りに、制御回路１００４（図１０）によって実行されてもよい。加えて、プロセス１７００の１つ以上のステップが、本明細書に説明される任意の他のプロセスもしくは実施形態の１つ以上のステップに組み込まれる、もしくはそれと組み合わせられてもよい。
【０１４０】
図１７は、コンテンツと関連付けられる画像を視聴者に供給するための例証的プロセス１７００を描写する。画像は、コンテンツの完結に続いてユーザに提示され、ソーシャルメディア上に投稿するために使用するために利用可能にされてもよい。いくつかのシナリオでは、コンテンツおよび／または画像についてのテキストもまた、ソーシャルメディア上のコンテンツについて投稿することを促進するように、メディアガイドアプリケーションによって供給されてもよい。
【０１４１】
ステップ１７１０では、メディアガイドアプリケーションのための制御回路１００４は、コンテンツと関連付けられる画像を検索してもよい。図３−７に関連して説明される実施例では、視聴者は、リアリティテレビシリーズＳｕｒｖｉｖｏｒのエピソードを鑑賞してもよい。次いで、視聴者は、Ｔｈｅ  Ｓｉｍｐｓｏｎｓの別のテレビシリーズエピソードを鑑賞し始めてもよい。Ｔｈｅ  Ｓｉｍｐｓｏｎｓへのアクセスが、完結されたとき、すなわち、視聴者が、Ｔｈｅ  Ｓｉｍｐｓｏｎｓを視聴し終えたとき、メディアガイドアプリケーションは、Ｔｈｅ  Ｓｉｍｐｓｏｎｓと関連付けられる画像を検索してもよい。いくつかの実施例では、メディアガイドアプリケーションは、アクセスされたエピソードと関連付けられる画像に焦点を当ててもよい。メディアガイドアプリケーションは、メディアコンテンツと関連付けられるメタデータ内で、または画像のデータベースもしくは番組のための画像のメディアデータベースを検索することによって、Ｓｉｍｐｓｏｎｓの画像を検索してもよい。
【０１４２】
番組と関連付けられる多数の画像が存在し得るため、メディアガイドアプリケーションは、ユーザのために画像のうちの特定の１つ（以上）を選択してもよい。ステップ１７２０では、メディアガイドアプリケーションのための制御回路１００４は、画像の相対的人気を判定するであろう。画像の人気は、画像の使用および可用性によって判定されてもよい。例えば、メディアガイドアプリケーションは、特定の画像がいくつかの場所で使用されることを検出してもよい。別の実施例では、メディアガイドアプリケーションは、別の画像がいくつかのソースから利用可能であることを検出してもよい。メディアガイドアプリケーションは、ユーザのためのソーシャルメディアネットワーク、または概して利用可能なソーシャルメディアネットワークを検索し、メディアコンテンツに関連して使用される画像を識別してもよい。画像のこれらの例示的使用の任意のインスタンスは、画像の相対的人気を指定するために、単独で、または組み合わせて使用されてもよい。あるソースおよび使用タイプは、人気を判定するためにも使用され得る、特定の重要性加重を有してもよい。例えば、いくつかのメディアソースまたは第三者解説者が、他よりも影響力を持つ、または人気であり得る。
【０１４３】
画像の相対的人気に基づいて、ステップ１７３０において、メディアガイドアプリケーションのための制御回路１００４は、画像をランク付けしてもよい。ランキングは、相対的人気に基づき、異なる要因、例えば、画像の使用およびソースに加重することを含んでもよい。
【０１４４】
視聴者がアクセスしたコンテンツが、ステップ１７４０において完結したとき、メディアガイドアプリケーションのための制御回路１００４は、視聴者に提示するべきコンテンツのための最も人気がある画像を選択してもよい。
【０１４５】
メディアガイドアプリケーションのための制御回路１００４は、ステップ１７５０において、ユーザがソーシャルメディア上に投稿することを選択するために、選択された最も人気がある画像を表示するために生成してもよい。メディアガイドアプリケーションは、ユーザによる選択を受信してもよく、ユーザが画像を容易に投稿し得るように、画像を任意のリンクされたソーシャルメディアアカウントに送信することができる。
【０１４６】
いくつかのシナリオでは、メディアガイドアプリケーションはまた、ソーシャルメディア投稿に含むべき解説を検索し、そのような解説を選定するために視聴者に提供するであろう。いくつかの実施例では、「ちょうどシーズンを一気見しました」またはシリーズにより関連性がある「ちょうどＴｈｅ  Ｓｉｍｐｓｏｎｓのシーズン２６を一気見しました！」等の解説は、録音され、任意のタイプのコンテンツの終了に関連し得る。別の実施例では、解説は、コンテンツと一般的に関連付けられるテキストに関して、メディアデータベースおよび第三者メディアソースから検索および収集されることができる。例えば、Ｓｕｒｖｉｖｏｒのコンテンツが終わる際の「投票で島から出されました」またはＳｉｍｐｓｏｎｓのエピソードが終わる際の「なんてこった！」である。
【０１４７】
プロセス１７００はまた、視聴者が以前に視聴した第１のコンテンツのための進捗バーからセグメントにアクセスすることの完結に応じて、辿られてもよい。例えば、視聴者が、Ｂｏｂがボールを落とすＳｕｒｖｉｖｏｒのクリップを視聴することを選択する、または視聴者が、バスケットボールの試合におけるスリーポイントショットのクリップを視聴することを選択する場合、メディアガイドアプリケーションは、視聴者がソーシャルメディア上で共有するために、セグメントに関連する好適な画像を提示してもよい。
【０１４８】
図１７のステップまたは説明は、本開示の任意の他の実施形態と併用され得ることが考慮される。加えて、図１７に関連して説明されるステップおよび説明は、本開示の目的を促すために、代替順序で、または並行して、行われてもよい。例えば、これらのステップはそれぞれ、システムまたは方法の遅延を低減させる、もしくは速度を増加させるように、任意の順序で、または並行して、もしくは実質的に同時に実施されてもよい。これらのステップのうちのいずれかはまた、スキップされる、またはプロセスから省略されてもよい。さらに、図１０−１１に関連して議論されるデバイスまたは機器のうちのいずれかは、図１７のステップのうちの１つ以上を実施するために使用され得ることに留意されたい。
【０１４９】
上記に議論されるプロセスは、限定的ではなく例証的であることを意図している。当業者は、本明細書に議論されるプロセスのステップが、本発明の範囲から逸脱することなく、省略される、修正される、組み合わせられる、および／または再配列されてもよく、任意の付加的ステップが、実施されてもよいことを理解するであろう。より一般的には、上記の開示は、例示的であって、限定を意図するものではない。続く請求項のみが、本発明が含むものに関する境界を設定することが意図される。さらに、いずれか１つの実施形態で説明される特徴および限定は、本明細書の任意の他の実施形態に適用され得、一実施形態に関するフローチャートまたは実施例は、好適な様式で任意の他の実施形態と組み合わせられる、異なる順序で行われる、または並行して行われ得ることに留意されたい。加えて、本明細書に説明されるシステムおよび方法は、リアルタイムで実施されてもよい。また、上記に説明されるシステムおよび／または方法は、他のシステムならびに／もしくは方法に適用され得る、またはそれらに従って使用され得ることにも留意されたい。
【図１】
2021510026.tif 000003
【図２】
2021510026.tif 000004
【図３】
2021510026.tif 000005
【図４】
2021510026.tif 000006
【図５】
2021510026.tif 000007
【図６】
2021510026.tif 000008
【図７】
2021510026.tif 000009
【図８】
2021510026.tif 000010
【図９】
2021510026.tif 000011
【図１０】
2021510026.tif 000012
【図１１】
2021510026.tif 000013
【図１２】
2021510026.tif 000014
【図１３】
2021510026.tif 000015
【図１４】
2021510026.tif 000016
【図１５】
2021510026.tif 000017
【図１６】
2021510026.tif 000018
【図１７】
2021510026.tif 000019
【国際調査報告】
2021510026.tif 000020
2021510026.tif 000021
2021510026.tif 000022